(57)【特許請求の範囲】
【請求項１】
セルラーネットワークからのメッセージを送信及び受信するモバイルターミネーション（ＭＴ）と、前記セルラーネットワーク又は非セルラーネットワークの１つ又は複数のパケットデータネットワーク（ＰＤＮ）接続を利用する１つ又は複数のアプリケーションを実行する端末機器（ＴＥ）と、端末アダプタ（ＴＡ）とを備えるユーザ機器（ＵＥ）であり、
前記ＴＡは、前記ＴＥから受信したアテンション（ＡＴ）コマンドを前記ＭＴに転送し、前記ＭＴは転送された前記ＡＴコマンドをＭＴ制御コマンドとして受信し、前記ＡＴコマンドは、前記セルラーネットワークから前記非セルラーネットワークにオフロードされ得る特定のＰＤＮ接続のデータ、オフロード支援データ、及びオフロードセルラー測定データのうち少なくとも１つを要求するためのコマンドであり、
前記ＴＡは、前記ＭＴにより生成されるＭＴステータスメッセージをＡＴコマンド応答として前記ＴＥに転送し、前記ＡＴコマンド応答は要求された前記データを含み、
前記ＴＡは、前記特定のＰＤＮ接続のオフロード可能性の変更があった場合、オフロード支援データの変更があった場合、及びオフロードセルラー測定値が前記オフロード支援データの基準を満たす場合、のうち少なくとも１つの場合、前記ＭＴにより生成される非請求リザルトコードを前記ＴＥに転送する、
ＵＥ。
【請求項２】
前記ＡＴコマンドはパケットドメインイベント報告（＋ＣＧＥＲＥＰ）ＡＴコマンドを含み、前記ＭＴはさらに、前記特定のＰＤＮ接続に関連付けられたパケットデータプロトコル（ＰＤＰ）コンテキストが、
アクティブ化される、
非アクティブ化される、及び
変更される
のうち少なくとも１つである場合、前記特定のＰＤＮ接続が前記セルラーネットワークから前記非セルラーネットワークにオフロードされ得るかを示す１つ又は複数の非請求リザルトコード（＋ＣＧＥＶ）を前記ＴＥに送信する、
請求項１に記載のＵＥ。
【請求項３】
前記１つ又は複数の非請求リザルトコード（＋ＣＧＥＶ）は、前記特定のＰＤＮ接続が前記セルラーネットワークから前記非セルラーネットワークにオフロードできないことを示すデータを含む、請求項２に記載のＵＥ。
【請求項４】
前記ＡＴコマンドは、パケットデータプロトコル（ＰＤＰ）コンテキスト読み出し動的パラメータ（＋ＣＧＣＯＮＴＲＤＰ）ＡＴコマンドを含み、前記ＡＴコマンド応答は、１次ＰＤＰコンテキストの１つ又は複数のパラメータを識別するデータを含む、請求項１から３のいずれか一項に記載のＵＥ。
【請求項５】
前記ＡＴコマンド応答はさらに、前記１次ＰＤＰコンテキストに関連付けられた前記特定のＰＤＮ接続が前記セルラーネットワークから前記非セルラーネットワークにオフロードされ得るかを示す整数値を含み、
前記整数値は、
前記特定のＰＤＮ接続がＳ１モードの場合もＩｕモードの場合も、オフロードが受け入れられないことを示す０、
前記特定のＰＤＮ接続が前記Ｓ１モードの場合にオフロードが受け入れられるが、前記Ｉｕモードでは受け入れられないことを示す１、
前記特定のＰＤＮ接続が前記Ｉｕモードの場合にオフロードが受け入れられるが、前記Ｓ１モードでは受け入れられないことを示す２、及び
前記特定のＰＤＮ接続が前記Ｓ１モードの場合も前記Ｉｕモードの場合も、オフロードが受け入れられることを示す３
のうち少なくとも１つを含む、請求項４に記載のＵＥ。
【請求項６】
前記ＡＴコマンドは、２次パケットデータプロトコル（ＰＤＰ）コンテキスト読み出し動的パラメータ（＋ＣＧＳＣＯＮＴＲＤＰ）ＡＴコマンドを含み、前記ＡＴコマンド応答は、２次ＰＤＰコンテキストの１つ又は複数のパラメータを識別するデータを含む、請求項１から５のいずれか一項に記載のＵＥ。
【請求項７】
前記ＡＴコマンド応答はさらに、前記２次ＰＤＰコンテキストに関連付けられた前記特定のＰＤＮ接続が、前記セルラーネットワークから前記非セルラーネットワークにオフロードされ得るかを示す整数値を含み、
前記整数値は、
前記特定のＰＤＮ接続がＳ１モードの場合もＩｕモードの場合も、オフロードが受け入れられないことを示す０、
前記特定のＰＤＮ接続が前記Ｓ１モードの場合にオフロードが受け入れられるが、前記Ｉｕモードでは受け入れられないことを示す１、
前記特定のＰＤＮ接続が前記Ｉｕモードの場合にオフロードが受け入れられるが、前記Ｓ１モードでは受け入れられないことを示す２、及び
前記特定のＰＤＮ接続が前記Ｓ１モードの場合も前記Ｉｕモードの場合も、オフロードが受け入れられることを示す３
のうち少なくとも１つを含む、請求項６に記載のＵＥ。
【請求項８】
セルラーネットワーク又は非セルラーネットワークの１つ又は複数のパケットデータネットワーク（ＰＤＮ）接続を利用する１つ又は複数のアプリケーションを実行する動作と、
モバイル端末（ＭＴ）用のアテンション（ＡＴ）コマンドを生成する動作であって、前記ＡＴコマンドは、前記セルラーネットワークから前記非セルラーネットワークにオフロードされ得る特定のＰＤＮ接続のデータ、オフロード支援データ、及びオフロードセルラー測定データのうち少なくとも１つを要求するためのコマンドである、動作と、
前記ＡＴコマンドに対応した、前記セルラーネットワークから前記非セルラーネットワークにオフロードされ得る前記ＰＤＮ接続に固有の前記要求されたデータ、前記オフロード支援データ、及び前記オフロードセルラー測定データのうち少なくとも１つを含む、ＡＴコマンド応答を受信する動作と、
前記特定のＰＤＮ接続のオフロード可能性の変更があった場合、オフロード支援データの変更があった場合、及びオフロードセルラー測定値が前記オフロード支援データの基準を満たす場合、のうち少なくとも１つの場合、非請求リザルトコードを受信する動作と
をユーザ機器（ＵＥ）に実行させるためのプログラム。
【請求項９】
前記ＡＴコマンドはパケットドメインイベント報告（＋ＣＧＥＲＥＰ）ＡＴコマンドを含み、前記ＭＴはさらに、前記ＰＤＮ接続が、
アクティブ化される、
非アクティブ化される、及び
変更される
のうち少なくとも１つである場合、前記ＰＤＮ接続が前記セルラーネットワークから前記非セルラーネットワークにオフロードされ得るかを示す１つ又は複数の非請求リザルトコード（＋ＣＧＥＶ）をＴＥに送信する、
請求項８に記載のプログラム。
【請求項１０】
前記ＡＴコマンドは、パケットデータプロトコル（ＰＤＰ）コンテキスト読み出し動的パラメータ（＋ＣＧＣＯＮＴＲＤＰ）ＡＴコマンドを含み、前記ＡＴコマンド応答はさらに、前記特定のＰＤＮ接続の１次パケットデータプロトコル（ＰＤＰ）コンテキストの１つ又は複数のパラメータを識別するデータを含み、前記ＡＴコマンド応答はさらに、前記１次ＰＤＰコンテキストに関連付けられた前記特定のＰＤＮ接続が、前記セルラーネットワークから前記非セルラーネットワークにオフロードされ得るかを示す整数値を含み、
前記整数値は、
前記特定のＰＤＮ接続がＳ１モードの場合もＩｕモードの場合も、オフロードが受け入れられないことを示す０、
前記特定のＰＤＮ接続が前記Ｓ１モードの場合にオフロードが受け入れられるが、前記Ｉｕモードでは受け入れられないことを示す１、
前記特定のＰＤＮ接続が前記Ｉｕモードの場合にオフロードが受け入れられるが、前記Ｓ１モードでは受け入れられないことを示す２、及び
前記特定のＰＤＮ接続が前記Ｓ１モードの場合も前記Ｉｕモードの場合も、オフロードが受け入れられることを示す３
のうち少なくとも１つを含む、請求項８又は９に記載のプログラム。
【請求項１１】
前記ＡＴコマンドは、２次パケットデータプロトコル（ＰＤＰ）コンテキスト読み出し動的パラメータ（＋ＣＧＳＣＯＮＴＲＤＰ）ＡＴコマンドを含み、前記ＡＴコマンド応答は、前記特定のＰＤＮ接続の２次ＰＤＰコンテキストの１つ又は複数のパラメータを識別するデータを含み、前記ＡＴコマンド応答はさらに、前記２次ＰＤＰコンテキストに関連付けられた前記特定のＰＤＮ接続が、前記セルラーネットワークから前記非セルラーネットワークにオフロードされ得るかを示す整数値を含み、
前記整数値は、
前記特定のＰＤＮ接続がＳ１モードの場合もＩｕモードの場合も、オフロードが受け入れられないことを示す０、
前記特定のＰＤＮ接続が前記Ｓ１モードの場合にオフロードが受け入れられるが、前記Ｉｕモードでは受け入れられないことを示す１、
前記特定のＰＤＮ接続が前記Ｉｕモードの場合にオフロードが受け入れられるが、前記Ｓ１モードでは受け入れられないことを示す２、及び
前記特定のＰＤＮ接続が前記Ｓ１モードの場合も前記Ｉｕモードの場合も、オフロードが受け入れられることを示す３
のうち少なくとも１つを含む、請求項８から１０のいずれか一項に記載のプログラム。
【請求項１２】
端末機器（ＴＥ）に通信可能に結合された端末アダプタ（ＴＡ）からアテンション（ＡＴ）コマンドを受信する回路であって、前記ＡＴコマンドは、パケットデータネットワーク（ＰＤＮ）接続のオフロード特性、オフロード支援データ、及びオフロードセルラー測定値のうち少なくとも１つを要求するためのコマンドである、回路と、
モバイルターミネーション（ＭＴ）ステータスメッセージを生成し、前記ＭＴステータスメッセージをＴＡに送信する回路であって、前記ＭＴステータスメッセージは、前記ＰＤＮ接続の前記要求されたデータ、前記オフロード支援データ、及び前記オフロードセルラー測定値のうち少なくとも１つを含む、回路と、
ＰＤＮ接続のオフロード可能性の変更があった場合、前記オフロード支援データの変更があった場合、及び前記オフロードセルラー測定値が、オフロード支援データの基準に対して変わる場合、のうち少なくとも１つの場合、ＭＴ非請求リザルトコードを生成し、前記非請求リザルトコードをＴＡに送信する回路と
を備える、ベースバンドチップセット。
【請求項１３】
前記ＭＴステータスメッセージはさらに、パケットデータプロトコル（ＰＤＰ）コンテキストが、
アクティブ化される、
非アクティブ化される、及び
変更される
のうち少なくとも１つである場合、前記ＰＤＮ接続がセルラーネットワークから非セルラーネットワークにオフロードされ得るかを示す１つ又は複数の非請求リザルトコード（＋ＣＧＥＶ）を含む、請求項１２に記載のベースバンドチップセット。
【請求項１４】
前記ＭＴステータスメッセージはさらに、
１次パケットデータプロトコル（ＰＤＰ）コンテキスト情報の１つ又は複数のパラメータを識別するデータ、及び
２次パケットデータプロトコル（ＰＤＰ）コンテキスト情報の１つ又は複数のパラメータを識別するデータ
のうち少なくとも１つを含む、請求項１２又は１３に記載のベースバンドチップセット。
【請求項１５】
非セルラーネットワークは無線ローカルエリアネットワーク（ＷＬＡＮ）を含み、前記ＭＴステータスメッセージは、
ＷＬＡＮのセルラー信号強度、セルラー信号電力、帯域幅、又はサービス特性、及び
前記ＭＴに関連付けられた１次サービングセルの測定情報
のうち少なくとも１つを識別するデータを含む、請求項１２から１４のいずれか一項に記載のベースバンドチップセット。
【請求項１６】
請求項８から１１のいずれか一項に記載のプログラムを格納する、
コンピュータ可読記憶媒体。
【発明の詳細な説明】
【技術分野】
【０００１】
［優先権の主張］
本出願は、２０１５年５月１８日に出願された米国仮出願第６２／１６３，２１３号の利益を主張し、その内容全体は参照により本明細書に組み込まれる。
【０００２】
実施形態は無線通信に属する。いくつかの実施形態は、ユーザ機器（ＵＥ）コンポーネント間の通信信号に関する。
【背景技術】
【０００３】
無線モバイルデバイス又はユーザ機器（ＵＥ）は、３ＧＰＰロングタームエボリューション（「ＬＴＥ」）規格、３ＧＰＰのＬＴＥアドバンストリリース１２（２０１４年３月）（「ＬＴＥ−Ａ規格」）、ＩＥＥＥ８０２．１６規格、２００９年５月２９日に公開されたＩＥＥＥ規格８０２．１６−２００９（「ＷｉＭＡＸ（登録商標）」）、並びに、３Ｇ、４Ｇ、５Ｇ、及びそれ以降の世代と呼ばれる任意の他の無線プロトコルなどの無線接続技術を用いるセルラーネットワークを介して、互いに通信することができる。ユーザ機器（ＵＥ）は、１つ又は複数のセルラーネットワークと、無線ローカルエリアネットワーク（ＷＬＡＮ）など、１つ又は複数の非セルラーネットワークとに接続するよう構成することができる。
【図面の簡単な説明】
【０００４】
【図１】いくつかの実施形態に従って、ネットワークの様々なコンポーネントを備えた無線ネットワークのアーキテクチャを示す。
【０００５】
【図２】いくつかの実施形態に従って、ＬＴＥネットワークのコンポーネントのアーキテクチャを示す。
【０００６】
【図３】いくつかの実施形態に従って、ユーザ機器デバイスの例示的なコンポーネントを示す。
【０００７】
【図４Ａ】いくつかの実施形態による、モバイルターミネーション及び端末機器の機能ブロックとしてのユーザ機器デバイスの例示である。
【０００８】
【図４Ｂ】いくつかの実施形態に従って、ユーザ機器デバイスのモバイルターミネーション及び端末機器が情報を交換するプロセスのフロー図を示す。
【０００９】
【図５Ａ】いくつかの実施形態によるアテンションコマンドのコマンド／応答テーブルを示す。
【図５Ｂ】いくつかの実施形態によるアテンションコマンドのコマンド／応答テーブルを示す。
【図５Ｃ】いくつかの実施形態によるアテンションコマンドのコマンド／応答テーブルを示す。
【図５Ｄ】いくつかの実施形態によるアテンションコマンドのコマンド／応答テーブルを示す。
【図５Ｅ】いくつかの実施形態によるアテンションコマンドのコマンド／応答テーブルを示す。
【００１０】
【図６】いくつかの実施形態に従って、ユーザ機器デバイス及びｅＮｏｄｅＢのブロック図を示す。
【００１１】
【図７】本開示の態様に従って、マシン可読媒体から命令を読み出し、本明細書で論じられる手順のうちいずれか１つ又は複数を行うことが可能なマシンのコンポーネントを、いくつかの例示的な実施形態に従って示すブロック図を示す。
【発明を実施するための形態】
【００１２】
以下の説明及び図面は、具体的な実施形態を十分に示し、当業者がこれらの実施形態を実施することを可能にする。他の実施形態が、構造的変更、論理的変更、電気的変更、プロセス変更、及び他の変更を組み込むことができる。いくつかの実施形態の部分及び特徴が、他の実施形態の部分及び特徴に含まれてよく、又はこれらの代わりになってもよい。特許請求の範囲に記載される実施形態は、これらの請求項の利用可能な全ての均等物を含む。
【００１３】
いくつかの実施形態において、本明細書で説明されるモバイルデバイス又は他のデバイスは、携帯情報端末（ＰＤＡ）、無線通信機能を有するラップトップ型若しくは携帯型のコンピュータ、ウェブタブレット、無線電話、スマートフォン、無線ヘッドセット、ページャ、ウェアラブルモバイルコンピューティングデバイス（例えば、ウェアラブルハウジングに含まれるモバイルコンピューティングデバイス）、インスタントメッセージデバイス、デジタルカメラ、アクセスポイント、テレビ、医療機器（例えば、心拍数モニタ、血圧モニタなど）、又は情報を無線で受信及び／又は送信することができる別のデバイスなどの携帯型無線通信デバイスの一部であってよい。いくつかの実施形態において、モバイルデバイス又は他のデバイスは、３ＧＰＰ規格（例えば、３ＧＰＰロングタームエボリューション（「ＬＴＥ」）アドバンストリリース１２（２０１４年３月）（「ＬＴＥ−Ａ規格」））に従って動作するように構成されたユーザ機器（ＵＥ）又は進化型ノードＢ（ｅＮｏｄｅＢ）であってよい。いくつかの実施形態において、モバイルデバイス又は他のデバイスは、ＩＥＥＥ８０２．１１若しくは他のＩＥＥＥ規格及び３ＧＰＰ規格を含む他のプロトコル又は規格に従って動作するように構成されてよい。いくつかの実施形態において、モバイルデバイス又は他のデバイスは、キーボード、ディスプレイ、不揮発性メモリポート、複数のアンテナ、グラフィックスプロセッサ、アプリケーションプロセッサ、スピーカ、及び他のモバイルデバイス要素のうちの１つ又は複数を含んでよい。ディスプレイは、タッチスクリーンを含む液晶ディスプレイ（ＬＣＤ）スクリーンであってよい。
【００１４】
図１は、いくつかの実施形態に従って、ネットワークの様々なコンポーネントを備えた無線ネットワークのアーキテクチャを示す。システム１００は、ユーザ機器（ＵＥ）１０２、及びＵＥ１０４を含むように示されている。ＵＥ１０２及び１０４は、スマートフォン（すなわち、１つ又は複数のセルラーネットワークに接続可能な、ハンドヘルド型タッチスクリーン付きモバイルコンピューティングデバイス）として示されているが、携帯情報端末（ＰＤＡ）、ページャ、ラップトップ型コンピュータ、デスクトップ型コンピュータ、マシンツーマシン（Ｍ２Ｍ）デバイス、モノのインターネット（ＩｏＴ）デバイスなども含んでよい。
【００１５】
ＵＥ１０２及び１０４は、接続１２０及び１２２をそれぞれ介して無線アクセスネットワーク（ＲＡＮ）１０６にアクセスするように構成され、これらのＵＥのそれぞれは、物理通信インタフェース又はレイヤを含む。この実施形態において、接続１２０及び１２２は通信結合を可能にする無線インタフェースとして示されており、移動通信用グローバルシステム（ＧＳＭ（登録商標））プロトコル、符号分割多元接続（ＣＤＭＡ）ネットワークプロトコル、プッシュツートーク（ＰＴＴ）プロトコル、セルラーを介したＰＴＴ（ＰＯＣ）プロトコル、ユニバーサル移動体通信システム（ＵＭＴＳ）プロトコル、３ＧＰＰロングタームエボリューション（ＬＴＥ）プロトコルなどのセルラー通信プロトコルに準拠し得る。
【００１６】
ＲＡＮ１０６は、接続１２０及び１２２を可能にする１つ又は複数のアクセスポイントを含んでよい。これらのアクセスポイント（さらに詳細に後述される）は、アクセスノード、基地局（ＢＳ）、ＮｏｄｅＢ、進化型ＮｏｄｅＢ（ｅＮｏｄｅＢ）などと呼ばれることがあり、地上局（すなわち、地上アクセスポイント）又は衛星アクセスポイントを含んでよい。ＲＡＮ１０６は、コアネットワーク１１０に通信可能に結合されるように示されている。コアネットワーク１１０は、ＵＥ１０２と１０４との間で、回路交換方式の通話を接続することに加えて、インターネット１１２を用いたパケット交換方式のデータ交換を可能にするのに用いることができる。いくつかの実施形態において、ＲＡＮ１０６は、進化型ユニバーサル移動体通信システム（ＵＭＴＳ）地上波ＲＡＮ（Ｅ−ＵＴＲＡＮ２１０）を含んでよく、コアネットワーク１１０は、進化型パケットコア（ＥＰＣ）ネットワークを含んでよい。
【００１７】
ＵＥ１０４は、接続１２４を介してアクセスポイント（ＡＰ）１０８にアクセスするように構成されて示されている。接続１２４は、ＩＥＥＥ８０２．１１に準拠する接続などのローカル無線接続を含んでよく、ＡＰ１０８はワイヤレスフィデリティ（ＷｉＦｉ）ルータを含むであろう。この例では、ＡＰ１０８は、コアネットワーク１１０に接続することなく、インターネット１１２に接続されるように示されている。
【００１８】
インターネット１１２は、アプリケーションサーバ１１６に通信可能に結合されるように示されている。アプリケーションサーバ１１６は、構造上は別個の複数のサーバとして実装されてよく、又は単一のサーバに含まれてよい。アプリケーションサーバ１１６は、インターネット１１２及びコアネットワーク１１０の両方に接続されるように示されており、他の実施形態において、コアネットワーク１１０は、インターネット１１２を介してアプリケーションサーバ１１６に接続する。アプリケーションサーバ１１６は、コアネットワーク１１０及び／又はインターネット１１２を介してアプリケーションサーバ１１６に接続することができるＵＥのために、１つ又は複数の通信サービス（例えば、ボイスオーバーインターネットプロトコル（ＶｏＩＰ）セッション、プッシュツートーク（ＰＴＴ）セッション、グループ通信セッション、ソーシャルネットワーキングサービスなど）をサポートするようにも構成されてよい。アプリケーションサーバ１１６は、さらに詳細に後述されるように、セルラー型モノのインターネット（ＣＩｏＴ）のＵＥ向けクラウドサービスプロバイダ（ＣＳＰ）としても構成されてよい。
【００１９】
コアネットワーク１１０はさらに、インターネットプロトコル（ＩＰ）マルチメディアサブシステム（ＩＭＳ）１１４に通信可能に結合されるように示されている。ＩＭＳ１１４は、従来の電話通信、ファックス、電子メール、インターネットアクセス、ボイスオーバーＩＰ（ＶｏＩＰ）、インスタントメッセージ（ＩＭ）、ビデオ会議セッション、及びビデオオンデマンド（ＶＯＤ）などのパケット通信用に、ＩＰの使用を可能にすることができる通信事業者の統合ネットワークを含む。
【００２０】
図２は、いくつかの実施形態に従って、ＬＴＥネットワークのコンポーネントのアーキテクチャを示す。この例では、（サブ）システム２００が、ＬＴＥネットワークに進化型パケットシステム（ＥＰＳ）を含み、したがって、Ｓ１インタフェース２１５を介して通信可能に結合されたＥ−ＵＴＲＡＮ２１０及びＥＰＣネットワーク２２０を含む。この例示では、Ｅ−ＵＴＲＡＮ２１０及びＥＰＣネットワーク２２０のコンポーネントの一部だけが示されている。後述される要素のいくつかは、「モジュール」又は「ロジック」と呼ばれることがある。本明細書で言及されるように、「モジュール」又は「ロジック」は、ハードウェア（回路など）、ソフトウェア（プログラムドライバなど）、又はこれらの組み合わせ（プログラム制御の演算処理装置など）を表すことができる。
【００２１】
Ｅ−ＵＴＲＡＮ２１０は、１つ又は複数のＵＥ（例えば、ＵＥ１０２）と通信するためのｅＮｏｄｅＢ２１２（これは、基地局として動作することができる）を含む。ｅＮｏｄｅＢ２１２は、この例において、マクロｅＮｏｄｅＢ及び低電力（ＬＰ）ｅＮｏｄｅＢを含むように示されている。これらのｅＮｏｄｅＢ２１２のうちいずれかが無線インタフェースプロトコルを終端することができ、ＵＥ１０２の最初の接点となり得る。いくつかの実施形態において、これらのｅＮｏｄｅＢ２１２のうちいずれかが、限定されないが、無線ベアラ管理、アップリンク及びダウンリンクの動的な無線リソース管理並びにデータパケットスケジューリング、そしてモビリティ管理などの無線ネットワークコントローラ（ＲＮＣ）機能を含む、Ｅ−ＵＴＲＡＮ２１０の様々な論理機能を遂行することができる。ｅＮｏｄｅＢ２１２など、ＥＰＳ／ＬＴＥネットワークにおけるｅＮｏｄｅＢは、ＥＰＣネットワーク２２０と通信するために別個のコントローラ（すなわち、ＲＮＣ）を利用しない。他の実施形態において、ＲＡＮは、他の特定プロトコルを利用して、ＢＳとコアネットワーク１１０との間の通信を可能にするためにＲＮＣを含んでよい。
【００２２】
いくつかの実施形態によると、ＵＥ１０２は、直交周波数分割多元接続（ＯＦＤＭＡ）通信技術、又はシングルキャリア周波数分割多元接続（ＳＣ−ＦＤＭＡ）通信技術などの様々な通信技術に従い、マルチキャリア通信チャネル上で複数のｅＮｏｄｅＢ２１２のうちいずれかと、直交周波数分割多重方式（ＯＦＤＭ）の通信信号を用いて通信するように構成されてよいが、実施形態の範囲はこの点において限定されない。ＯＦＤＭ信号は、複数の直交サブキャリアを含んでよい。
【００２３】
いくつかの実施形態によると、ＵＥ１０２は、複数のｅＮｏｄｅＢ２１２のうちいずれかからの１つ又は複数の信号の受信に基づいて、同期基準時間を決定するように構成されてよい。ＵＥ１０２は、ＯＦＤＭＡ、ＳＣ−ＦＤＭＡ、又は他の多元接続方式を用いて、他のＵＥとのデバイスツーデバイス（Ｄ２Ｄ）通信又は近接ベースのサービス（ＰｒｏＳＥ）通信をサポートするようにも構成されてよい。
【００２４】
Ｓ１インタフェース２１５は、Ｅ−ＵＴＲＡＮ２１０とＥＰＣネットワーク２２０とを分離するインタフェースである。このインタフェースは、２つの部分、すなわち、ｅＮｏｄｅＢ２１２とサービングゲートウェイ（Ｓ−ＧＷ）２２４との間のトラフィックデータを伝達するＳ１−Ｕと、ｅＮｏｄｅＢ２１２と１つ又は複数のモビリティ管理エンティティ（ＭＭＥ）２２２との間のシグナリングインタフェースであるＳ１−ＭＭＥとに分割される。Ｘ２インタフェースは、ｅＮｏｄｅＢ２１２間のインタフェースである。Ｘ２インタフェースは、Ｘ２−Ｃ及びＸ２−Ｕという２つの部分（不図示）を含んでよい。Ｘ２−Ｃは、ｅＮｏｄｅＢ２１２間の制御プレーンインタフェースであり、Ｘ２−Ｕは、ｅＮｏｄｅＢ２１２間のユーザプレーンインタフェースである。
【００２５】
セルラーネットワークによって、低電力セルが、屋外の信号が十分に届かない屋内エリアまでカバレッジを拡大するために、又は、電話の利用が非常に混んでいる鉄道の駅などのエリアにネットワークキャパシティを追加するために用いられ得る。本明細書で用いられるとき、「ＬＰ  ｅＮｏｄｅＢ」という用語は、ネットワークの末端においてフェムトセル、ピコセル、マイクロセルなどの狭いセル（すなわち、マクロセルより狭い）を実装するための、相対的に低電力の任意の好適なｅＮｏｄｅＢ２１２を意味する。フェムトセルのｅＮｏｄｅＢは通常、モバイルネットワーク事業者により、その住宅向け顧客又は企業向け顧客に提供される。フェムトセルは通常、住宅向けゲートウェイのサイズ又はそれより小さいサイズであり、一般に、ユーザのブロードバンド回線に接続される。フェムトセルは、コンセントにつなぐと、モバイル事業者のモバイルネットワークに接続し、住宅向けフェムトセルの場合、通常３０〜５０メートルの範囲に追加カバレッジを提供する。したがって、ＬＰ  ｅＮｏｄｅＢはパケットデータネットワークゲートウェイ（Ｐ−ＧＷ）２２６を通じて結合されるので、フェムトセルのｅＮｏｄｅＢである場合がある。同様に、ピコセルは、建物内（オフィス、ショッピングモール、鉄道の駅など）又は近年では航空機内など、通常小さいエリアを対象とする無線通信システムである。ピコセルｅＮｏｄｅＢは概して、自らの基地局コントローラ（ＢＳＣ）機能を介して、マクロｅＮｏｄｅＢなど、別のｅＮｏｄｅＢ２１２にＸ２リンクを通じて接続することができる。したがって、ＬＰ  ｅＮｏｄｅＢは、Ｘ２インタフェースを介してマクロｅＮｏｄｅＢに結合されるので、ピコセルｅＮｏｄｅＢで実装されてよい。ピコセルｅＮｏｄｅＢ又は他のＬＰ  ｅＮｏｄｅＢは、マクロｅＮｏｄｅＢの一部の機能又は全ての機能を組み込むことができる。場合によっては、ピコセルｅＮｏｄｅＢは、アクセスポイント基地局（ＡＰ  ＢＳ）又は企業向けフェムトセルと呼ばれることがある。
【００２６】
ＵＥ１０２は起動するとセル選択を行い、その動作全体にわたりセル再選択を行う。ＵＥ１０２は、Ｅ−ＵＴＲＡＮ２１０により提供されるセル（例えば、マクロセル又はピコセル）を検索する。セル再選択プロセスの間、ＵＥ１０２は近隣のセルごとに参照信号強度（例えば、参照信号受信電力／参照信号受信品質（ＲＳＲＰ／ＲＳＲＱ））を測定し、この測定に基づいてセルを選択する（例えば、最も高いＲＳＲＰ値を有するセルを選択する）ことができる。ＵＥ１０２は、セルを選択した後に、マスタ情報ブロック（ＭＩＢ）を読み出すことで、セルのアクセスのしやすさを検証することができる。ＵＥ１０２は、選択したセルのＭＩＢを読み出すことができない場合、選択したセルを破棄して、好適なセルが検出されるまで上記プロセスを繰り返すことができる。
【００２７】
無線リソース制御（ＲＲＣ）状態は、ＵＥ１０２のＲＲＣレイヤがＥ−ＵＴＲＡＮ２１０のＲＲＣレイヤに論理的に接続されているかを示す。ＵＥ１０２がセルに通信可能に結合された後、そのＲＲＣ状態はＲＲＣ＿ＩＤＬＥになる。ＵＥ１０２が送信又は受信するデータパケットを有する場合、そのＲＲＣ状態はＲＲＣ＿ＣＯＮＮＥＣＴＥＤになる。ＵＥ１０２は、ＲＲＣ＿ＩＤＬＥ状態の場合、自らを異なるセルに関連付けることができる。
【００２８】
いくつかの実施形態において、ダウンリンクリソースグリッドが、複数のｅＮｏｄｅＢ２１２のうちいずれかからＵＥ１０２へのダウンリンク送信に用いられてよく、ＵＥ１０２から複数のｅＮｏｄｅＢ２１２のうちいずれかへのアップリンク送信は、類似の手法を利用することができる。このグリッドは、時間−周波数グリッドであってよく、リソースグリッド、又は時間−周波数リソースグリッドと呼ばれることがあり、各スロットのダウンリンクにおける物理リソースである。そのような時間−周波数プレーン表現は、ＯＦＤＭシステムでは一般的なことであり、これにより、無線リソース割り当てが直観的に行われる。リソースグリッドの各列及び各行は、１つのＯＦＤＭシンボル及び１つのＯＦＤＭサブキャリアにそれぞれ対応する。時間ドメインにおけるリソースグリッドの継続時間は、無線フレーム内の１つのスロットに対応する。リソースグリッドにおける最小の時間−周波数単位は、リソース要素によって表される。各リソースグリッドは複数のリソースブロックを含み、これらのリソースブロックは、特定の物理チャネルのリソース要素へのマッピングを表す。各リソースブロックはリソース要素の集合を含み、これは、周波数ドメインにおいて、現在割り当てられ得る最小数量のリソースを表す。そのようなリソースブロックを用いて伝達される、いくつかの異なる物理ダウンリンクチャネルが存在する。
【００２９】
物理ダウンリンク共有チャネル（ＰＤＳＣＨ）は、ユーザデータ及び上位レイヤシグナリングをＵＥ１０２に伝達する。物理ダウンリンク制御チャネル（ＰＤＣＣＨ）は、とりわけ、ＰＤＳＣＨチャネルに関連した伝送形式及びリソース割り当てについての情報を伝達する。ＰＤＣＣＨは、アップリンク共有チャネルに関連した、伝送形式、リソース割り当て、及びＨ−ＡＲＱ（ハイブリッド自動再送要求）情報についてもＵＥ１０２に通知する。通常、ダウンリンクスケジューリング（制御チャネル及び共有チャネルのリソースブロックをセル内のＵＥ１０２に割り当てること）は、ＵＥ１０２から複数のｅＮｏｄｅＢ２１２のうちいずれかにフィードバックされるチャネル品質情報に基づいて、複数のｅＮｏｄｅＢ２１２のうちいずれかで行われ、次に、ダウンリンクリソース割り当て情報が、ＵＥ１０２に用いられる（ＵＥ１０２に割り当てられる）制御チャネル（ＰＤＣＣＨ）によってＵＥ１０２に送信される。
【００３０】
ＰＤＣＣＨは、制御チャネル要素（ＣＣＥ）を使用して制御情報を伝達する。リソース要素にマッピングされる前に、ＰＤＣＣＨの複素数値シンボルは最初に４組に編成され、次に、これらがレートマッチングのためにサブブロックインターリーバを用いて並べ替えられる。各ＰＤＣＣＨは、これらのＣＣＥのうち１つ又は複数を用いて送信され、各ＣＣＥは、リソース要素グループ（ＲＥＧ）として知られる４つの物理リソース要素からなる９つのセットに対応する。４つの４位相偏移変調（ＱＰＳＫ）シンボルが、各ＲＥＧにマッピングされる。ＰＤＣＣＨは、ダウンリンク制御情報（ＤＣＩ）のサイズ及びチャネル状態に応じて、１つ又は複数のＣＣＥを用いて送信されてよい。異なる数のＣＣＥ（例えば、アグリゲーションレベル、Ｌ＝１、２、４、又は８）を有し、ＬＴＥで規定される、４つ又はそれより多くの異なるＰＤＣＣＨフォーマットが存在してよい。
【００３１】
ＥＰＣネットワーク２２０は、ＭＭＥ２２２と、Ｓ−ＧＷ２２４と、Ｐ−ＧＷ２２６と、ホーム加入者サーバ（ＨＳＳ）２２８とを含む。ＭＭＥ２２２は、機能において、レガシーのサービング汎用パケット無線サービス（ＧＰＲＳ）サポートノード（ＳＧＳＮ）の制御プレーンに類似している。ＭＭＥ２２２は、ゲートウェイ選択及びトラッキングエリアリストの管理など、アクセスに関するモビリティ態様を管理する。ＨＳＳ２２８は、加入契約関連の情報を含むネットワークユーザのデータベースを有し、ネットワークエンティティの通信セッション処理をサポートする。ＥＰＣネットワーク２２０は、モバイル加入者の数、機器のキャパシティ、ネットワークの構成などに応じて、１つ又はいくつかのＨＳＳ２２８を含んでよい。例えば、ＨＳＳ２２８は、ルーティング／ローミング、認証、許可、名前／アドレス解決、位置依存などのサポートを提供することができる。
【００３２】
Ｓ−ＧＷ２２４は、Ｅ−ＵＴＲＡＮ２１０に向いたインタフェースを終端し、Ｅ−ＵＴＲＡＮ２１０とＥＰＣネットワーク２２０との間でデータパケットをルーティングする。さらに、Ｓ−ＧＷ２２４は、ｅＮｏｄｅＢ間ハンドオーバ用のローカルモビリティアンカーポイントであってよく、３ＧＰＰ間モビリティ用のアンカーも提供することができる。他の役割には、合法のインターセプト、課金、及び何らかのポリシー適用が含まれてよい。
【００３３】
Ｓ−ＧＷ２２４、ＭＭＥ２２２、及びＨＳＳ２２８は、１つの物理ノード又は別個の複数の物理ノードに実装されてよい。Ｐ−ＧＷ２２６は、パケットデータネットワーク（ＰＤＮ）に向いたＳＧｉインタフェース（不図示）を終端する。Ｐ−ＧＷ２２６は、ＥＰＣネットワーク２２０と外部ネットワーク（例えば、インターネット１１２）との間でデータパケットをルーティングし、ポリシー適用及びデータ収集への課金のためのキーノードになり得る。Ｐ−ＧＷ２２６及びＳ−ＧＷ２２４は、１つの物理ノード又は分離した複数の物理ノードに実装されてよい。この実施形態では、ＥＰＣネットワーク２２０は、アプリケーションサーバ１１６に通信可能に結合されるように示されており、パケットデータはＰ−ＧＷ２２６を介して交換され得る。
【００３４】
図３は、いくつかの実施形態に従って、ＵＥデバイス３００の例示的なコンポーネントを示す。いくつかの実施形態において、ＵＥデバイス３００は、アプリケーション回路３０２と、ベースバンド回路３０４と、無線周波数（ＲＦ）回路３０６と、フロントエンドモジュール（ＦＥＭ）回路３０８と、１つ又は複数のアンテナ３１０とを含んでよく、これらは共に少なくとも示されるように結合される。いくつかの実施形態において、ＵＥデバイス３００は、例えば、メモリ／ストレージ、ディスプレイ、カメラ、センサ、及び／又は入力／出力（Ｉ／Ｏ）インタフェースなど、追加の要素を含んでよい。
【００３５】
アプリケーション回路３０２は、１つ又は複数のアプリケーションプロセッサを含んでよい。例えば、アプリケーション回路３０２は、限定されないが、１つ又は複数のシングルコアプロセッサ若しくはマルチコアプロセッサなどの回路を含んでよい。プロセッサは、汎用プロセッサと専用プロセッサ（例えば、グラフィックスプロセッサ、アプリケーションプロセッサなど）の任意の組み合わせを含んでよい。これらのプロセッサは、メモリ／ストレージに結合されてよく、及び／又はメモリ／ストレージを含んでよく、様々なアプリケーション及び／又はオペレーティングシステムがシステム上で実行されることを可能にするために、メモリ／ストレージに格納された命令を実行するように構成されてよい。
【００３６】
ベースバンド回路３０４は、限定されないが、１つ又は複数のシングルコアプロセッサ若しくはマルチコアプロセッサなどの回路を含んでよい。ベースバンド回路３０４は、ＲＦ回路３０６の受信信号経路から受信したベースバンド信号を処理して、ＲＦ回路３０６の送信信号経路用のベースバンド信号を生成するために、１つ又は複数のベースバンドプロセッサ及び／又は制御ロジックを含んでよい。ベースバンド回路３０４は、ベースバンド信号の生成及び処理、並びにＲＦ回路３０６の動作制御のために、アプリケーション回路３０２とインタフェース接続することができる。例えば、いくつかの実施形態において、ベースバンド回路３０４は、第２世代（２Ｇ）のベースバンドプロセッサ３０４ａ、第３世代（３Ｇ）のベースバンドプロセッサ３０４ｂ、第４世代（４Ｇ）のベースバンドプロセッサ３０４ｃ、及び／又は、他の既存世代、開発中若しくは今後開発される世代（例えば、第５世代（５Ｇ）、６Ｇなど）用の他のベースバンドプロセッサ３０４ｄを含んでよい。ベースバンド回路３０４（例えば、ベースバンドプロセッサ３０４ａ〜ｄのうち１つ又は複数）は、１つ又は複数の無線ネットワークとのＲＦ回路３０６を介した通信を可能にする様々な無線制御機能を用いることができる。無線制御機能は、限定されないが、信号変調／復調、符号化／復号化、無線周波数偏移などを含んでよい。いくつかの実施形態において、ベースバンド回路３０４の変調／復調回路は、高速フーリエ変換（ＦＦＴ）、プリコーディング、及び／又は、コンステレーションマッピング／マッピング解除機能を含んでよい。いくつかの実施形態において、ベースバンド回路３０４の符号化／復号化回路は、畳み込み、テールバイティング畳み込み、ターボ、ビタビ、及び／又は、低密度パリティチェック（ＬＤＰＣ）エンコーダ／デコーダ機能を含んでよい。変調／復調及びエンコーダ／デコーダ機能の実施形態は、これらの例に限定されず、他の実施形態において他の好適な機能を含んでよい。
【００３７】
いくつかの実施形態において、ベースバンド回路３０４は、例えば、物理（ＰＨＹ）、媒体アクセス制御（ＭＡＣ）、無線リンク制御（ＲＬＣ）、パケットデータコンバージェンスプロトコル（ＰＤＣＰ）、及び／又はＲＲＣ要素を含む、例えばＥＵＴＲＡＮプロトコルの要素など、プロトコルスタックの要素を含んでよい。ベースバンド回路３０４の中央処理装置（ＣＰＵ）３０４ｅは、ＰＨＹレイヤ、ＭＡＣレイヤ、ＲＬＣレイヤ、ＰＤＣＰレイヤ、及び／又はＲＲＣレイヤのシグナリングのために、プロトコルスタックの要素を実行するように構成されてよい。いくつかの実施形態において、ベースバンド回路３０４は、１つ又は複数のオーディオデジタル信号プロセッサ（ＤＳＰ）３０４ｆを含んでよい。オーディオＤＳＰ３０４ｆは、圧縮／解凍及びエコーキャンセル用の要素であってよく、又はそれらの要素を含んでよく、他の実施形態において他の好適な処理要素を含んでよい。いくつかの実施形態において、ベースバンド回路３０４のコンポーネントは、単一のチップ、単一のチップセットに適切に組み合わされてよく、又は同じ回路基板上に配置されてよい。いくつかの実施形態において、ベースバンド回路３０４及びアプリケーション回路３０２の構成コンポーネントの一部又は全てが、例えば、システムオンチップ（ＳＯＣ）などに共に実装されてよい。
【００３８】
いくつかの実施形態において、ベースバンド回路３０４は、１つ又は複数の無線技術と互換性のある通信を提供することができる。例えば、いくつかの実施形態において、ベースバンド回路３０４は、進化型ユニバーサル地上波無線アクセスネットワーク（ＥＵＴＲＡＮ）及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路３０４が１つより多くの無線プロトコルの無線通信をサポートするように構成される実施形態は、マルチモードベースバンド回路３０４と呼ばれことがある。
【００３９】
ＲＦ回路３０６は、非固体媒体を通じた変調電磁放射を用いて、無線ネットワークとの通信を可能にすることができる。様々な実施形態において、ＲＦ回路３０６は、無線ネットワークとの通信を容易にするために、スイッチ、フィルタ、増幅器などを含んでよい。ＲＦ回路３０６は受信信号経路を含んでよく、この受信信号経路はＦＥＭ回路３０８から受信したＲＦ信号をダウンコンバートして、ベースバンド信号をベースバンド回路３０４に提供する回路を含んでよい。ＲＦ回路３０６は送信信号経路も含んでよく、この送信信号経路はベースバンド回路３０４により提供されるベースバンド信号をアップコンバートして、送信のためにＲＦ出力信号をＦＥＭ回路３０８に提供する回路を含んでよい。
【００４０】
いくつかの実施形態において、ＲＦ回路３０６は、受信信号経路及び送信信号経路を含んでよい。ＲＦ回路３０６の受信信号経路は、ミキサ回路３０６ａと、増幅器回路３０６ｂと、フィルタ回路３０６ｃとを含んでよい。ＲＦ回路３０６の送信信号経路は、フィルタ回路３０６ｃと、ミキサ回路３０６ａとを含んでよい。ＲＦ回路３０６は、受信信号経路及び送信信号経路のミキサ回路３０６ａが使用する周波数を合成するためのシンセサイザ回路３０６ｄも含んでよい。いくつかの実施形態において、受信信号経路のミキサ回路３０６ａは、シンセサイザ回路３０６ｄにより提供される合成周波数に基づいて、ＦＥＭ回路３０８から受信するＲＦ信号をダウンコンバートするように構成されてよい。増幅器回路３０６ｂは、ダウンコンバート信号を増幅するように構成されてよく、フィルタ回路３０６ｃは、ダウンコンバート信号から不要な信号を除去して、出力ベースバンド信号を生成するように構成されたローパスフィルタ（ＬＰＦ）又はバンドパスフィルタ（ＢＰＦ）であってよい。出力ベースバンド信号は、さらに処理するためにベースバンド回路３０４に提供されてよい。いくつかの実施形態において、出力ベースバンド信号は、ゼロ周波数のベースバンド信号であってよい。いくつかの実施形態において、受信信号経路のミキサ回路３０６ａはパッシブミキサを含んでよいが、実施形態の範囲はこの点において限定されない。
【００４１】
いくつかの実施形態において、送信信号経路のミキサ回路３０６ａは、シンセサイザ回路３０６ｄにより提供される合成周波数に基づいて、入力ベースバンド信号をアップコンバートして、ＦＥＭ回路３０８用のＲＦ出力信号を生成するように構成されてよい。ベースバンド信号は、ベースバンド回路３０４により提供されてよく、フィルタ回路３０６ｃによりフィルタリングされてよい。フィルタ回路３０６ｃはローパスフィルタ（ＬＰＦ）を含んでよいが、実施形態の範囲はこの点において限定されない。
【００４２】
いくつかの実施形態において、受信信号経路のミキサ回路３０６ａ及び送信信号経路のミキサ回路３０６ａは、２つ又はそれより多くのミキサを含んでよく、直交ダウンコンバージョン及び／又は直交アップコンバージョン用にそれぞれ構成されてよい。いくつかの実施形態において、受信信号経路のミキサ回路３０６ａ及び送信信号経路のミキサ回路３０６ａは、２つ又はそれより多くのミキサを含んでよく、イメージ除去（例えば、ハートレー型イメージ除去）用に構成されてよい。いくつかの実施形態において、受信信号経路のミキサ回路３０６ａ及び送信信号経路のミキサ回路３０６ａは、ダイレクトダウンコンバージョン及び／又はダイレクトアップコンバージョン用にそれぞれ構成されてよい。いくつかの実施形態において、受信信号経路のミキサ回路３０６ａ及び送信信号経路のミキサ回路３０６ａは、スーパーヘテロダイン動作用に構成されてよい。
【００４３】
いくつかの実施形態において、出力ベースバンド信号及び入力ベースバンド信号はアナログベースバンド信号であってよいが、実施形態の範囲はこの点において限定されない。いくつかの代替的な実施形態において、出力ベースバンド信号及び入力ベースバンド信号は、デジタルベースバンド信号であってよい。これらの代替的な実施形態において、ＲＦ回路３０６は、アナログデジタル変換器（ＡＤＣ）回路及びデジタルアナログ変換器（ＤＡＣ）回路を含んでよく、ベースバンド回路３０４は、ＲＦ回路３０６と通信するためにデジタルベースバンドインタフェースを含んでよい。
【００４４】
いくつかのデュアルモードの実施形態において、別個の無線集積回路（ＩＣ）の回路が、各スペクトルの信号を処理するために提供されてよいが、実施形態の範囲はこの点において限定されない。
【００４５】
いくつかの実施形態において、シンセサイザ回路３０６ｄは、フラクショナルＮシンセサイザ又はフラクショナルＮ／Ｎ＋１シンセサイザであってよいが、他のタイプの周波数シンセサイザが好適な場合があるので、実施形態の範囲はこの点において限定されない。例えば、シンセサイザ回路３０６ｄは、デルタシグマ型シンセサイザ、周波数乗算器、又は位相同期ループを含んだ周波数分周器付きのシンセサイザであってよい。
【００４６】
シンセサイザ回路３０６ｄは、周波数入力及び分周器制御入力に基づいて、ＲＦ回路３０６のミキサ回路３０６ａが使用する出力周波数を合成するように構成されてよい。いくつかの実施形態において、シンセサイザ回路３０６ｄは、フラクショナルＮ／Ｎ＋１シンセサイザであってよい。
【００４７】
いくつかの実施形態において、周波数入力は、電圧制御発振器（ＶＣＯ）により提供されてよい。分周器制御入力は、必要な出力周波数に応じて、ベースバンド回路３０４又はアプリケーションプロセッサ３０２により提供されてよい。いくつかの実施形態において、分周器制御入力（例えば、Ｎ）は、アプリケーションプロセッサ３０２により示されるチャネルに基づいて、ルックアップテーブルから決定されてよい。
【００４８】
ＲＦ回路３０６のシンセサイザ回路３０６ｄは、分周器と、遅延同期ループ（ＤＬＬ）と、マルチプレクサと、位相アキュムレータとを含んでよい。いくつかの実施形態において、分周器はデュアルモジュラス分周器（ＤＭＤ）であってよく、位相アキュムレータはデジタル位相アキュムレータ（ＤＰＡ）であってよい。いくつかの実施形態において、ＤＭＤは、入力信号を（例えば、キャリーアウトに基づいて）Ｎ又はＮ＋１で分周して、フラクショナル分周比を提供するように構成されてよい。いくつかの例示的な実施形態において、ＤＬＬは、カスケード接続されたチューニング可能な遅延素子のセットと、位相検出器と、チャージポンプと、Ｄ型フリップフロップとを含んでよい。これらの実施形態において、遅延素子は、ＶＣＯ周期をＮｄ個の位相の等しいパケットに分割するように構成されてよく、Ｎｄは遅延線における遅延素子の数である。この方法において、ＤＬＬは負帰還をもたらし、遅延線を通した総遅延が必ずＶＣＯの１サイクルになるようにするのに役立つ。
【００４９】
いくつかの実施形態において、シンセサイザ回路３０６ｄは、出力周波数として搬送周波数を生成するように構成されてよいが、他の実施形態において、出力周波数は、複数の搬送周波数（例えば、搬送周波数の２倍、搬送周波数の４倍）であってよく、互いに対して複数の異なる位相を有する搬送周波数において複数の信号を生成するために、直交位相発生器及び分周器回路とともに用いられてよい。いくつかの実施形態において、出力周波数はＬＯ周波数（ｆＬＯ）であってよい。いくつかの実施形態において、ＲＦ回路３０６は、ＩＱ／極座標変換器を含んでよい。
【００５０】
ＦＥＭ回路３０８は受信信号経路を含んでよく、受信信号経路は、１つ又は複数のアンテナ３１０から受信されるＲＦ信号を処理し、その受信信号を増幅し、さらに処理するために増幅した形の受信信号をＲＦ回路３０６に提供するように構成された回路を含んでよい。ＦＥＭ回路３０８は送信信号経路も含んでよく、送信信号経路は、１つ又は複数のアンテナ３１０のうち１つ又は複数により送信するために、ＲＦ回路３０６により提供される送信用の信号を増幅するように構成された回路を含んでよい。
【００５１】
いくつかの実施形態において、ＦＥＭ回路３０８は、送信モード動作と受信モード動作を切り替えるＴＸ／ＲＸスイッチを含んでよい。ＦＥＭ回路３０８は、受信信号経路及び送信信号経路を含んでよい。ＦＥＭ回路３０８の受信信号経路は、受信ＲＦ信号を増幅し、増幅した受信ＲＦ信号を出力として（例えば、ＲＦ回路３０６に）供給する低雑音増幅器（ＬＮＡ）を含んでよい。ＦＥＭ回路３０８の送信信号経路は、（例えば、ＲＦ回路３０６により提供される）入力ＲＦ信号を増幅する電力増幅器（ＰＡ）と、（例えば、１つ又は複数のアンテナ３１０のうち１つ又は複数による）次の送信のためにＲＦ信号を生成する１つ又は複数のフィルタとを含んでよい。
【００５２】
図４Ａは、いくつかの実施形態による、モバイルターミネーション（ＭＴ）及び端末機器（ＴＥ）の機能ブロックとしてのＵＥデバイスの例示である。ＵＥ４００が、端末アダプタ（ＴＡ）４０６を介して通信可能に結合されるＴＥ４０２及びＭＴ４０４を含むように示されている。いくつかの実施形態において、ＴＥ４０２はアプリケーション回路（例えば、図３のＵＥ３００のアプリケーション回路３０２）を含み、ＭＴ４０４はベースバンド回路（例えば、図３のＵＥ３００のベースバンド回路３０４）を含む。１つ又は複数のアプリケーション４１０は１つ又は複数のＰＤＮ接続を利用することができ、データをＴＥ４０２に送信し、アプリケーションタイプ（例えば、ウェブブラウザ、ストリーミングアプリケーションなど）、アプリケーション４１０のサービス品質（ＱｏＳ）パラメータなどを示すことができる。ＭＴ４０４は、図１及び／又は図２に示されるコンポーネント（例えば、図２のＥ−ＵＴＲＡＮ２１０及びＥＰＣ２２０のコンポーネント）のうちいずれかを介して、１つ又は複数のネットワーク４１２と対話することができる。
【００５３】
ＵＥ４００の    抽象アーキテクチャは、様々な方法で物理的に実装されてよい。いくつかの実施形態において、ＴＥ４０２、ＭＴ４０４、及びＴＡ４０６は、３つの別個のエンティティとして実装される。いくつかの実施形態において、ＴＡ４０６はＭＴ４０４のカバー（ｃｏｖｅｒ）のもとに統合され、ＴＥ４０２は別個のエンティティとして実装される。いくつかの実施形態において、ＴＡ４０６はＴＥ４０２のカバーのもとに統合され、ＭＴ４０４は別個のエンティティとして実装される。いくつかの実施形態において、ＴＡ４０６及びＭＴ４０４はＴＥ４０２のカバーのもとに、単一のエンティティとして統合される。
【００５４】
図４Ｂは、いくつかの実施形態に従って、ＵＥ４００デバイスのＭＴ４０４及びＴＥ４０２が情報を交換するプロセスのフロー図を示す。本明細書で示されるようなプロセスフロー図及び論理フロー図が、様々なプロセスアクションの順序に関する例を提供する。アクションが特定の順序又は順番で示されるが、他に指定されない限り、アクションの順番は変更されてよい。したがって、説明され示される実装は、例としてだけ理解されるべきであり、示されるプロセスは異なる順番で行われてよく、いくつかのアクションは並行して行われてよい。さらに、１つ又は複数のアクションが様々な実施形態において省略されてよく、したがって、全てのアクションがあらゆる実装において実行されるとは限らない。他のプロセスフローが可能である。
【００５５】
１つ又は複数のアプリケーション４１０は、ＰＤＮを利用するために、ＵＥ４００を介して実行されてよい。１つ又は複数のアプリケーション４１０は、ＴＥ４０２がＭＴ４０４を制御するためのコマンド（動作４５１として示される）を示すことができる。ＴＥ４０２は、アテンション（ＡＴ）コマンド（動作４５２として示される）をＴＡ４０６に送信することができ、次にこのコマンドはＭＴ制御コマンド（動作４５３として示される）として構文解析される。
【００５６】
ＡＴコマンドは、例えば、一般コマンド、コール制御コマンド、ネットワークサービス関連のコマンド、ＭＴ制御及びステータスコマンド、ＭＴエラーのリザルトコード、パケットドメイン用のコマンド、音声グループコールサービス（ＶＧＣＳ）及び音声ブロードキャストサービス（ＶＢＳ）用のコマンド、並びに汎用加入者識別モジュール（ＵＳＩＭ）のアプリケーションツールキットのコマンドを含んでよい。
【００５７】
ＭＴ４０４は、１つ又は複数のネットワーク４１２との間で信号データを送信及び受信することができ（それぞれ動作４５４及び４６１として示される）、そのデータには、ＰＤＮ接続を確立して、ＵＥ４００が移動するときにＰＤＮ接続を維持するための非アクセス層（ＮＡＳ）メッセージが含まれる。ＭＴ４０４は、ＭＴステータスメッセージをＴＡ４０６に送信することができ（動作４６２として示される）、ＴＡ４０６はこれをＡＴコマンドへの応答としてＴＥ４０２に送信する（動作４６３として示される）。これらの応答からのデータは次に、１つ又は複数のアプリケーション４１０に送信されてよい（動作４６４として示される）。
【００５８】
したがって、ＡＴコマンドは、ＴＥ４０２がＭＴ４０４を制御する方法を提供する。ＵＥ４００は、セルラーネットワーク及び／又は非セルラーネットワーク（例えば、ＷＬＡＮ）に結合されてよい。ＵＥ４００が最初にセルラーネットワークに結合され、次に非セルラーネットワークにも接続する場合、ＵＥ４００はトラフィックオフロード、すなわち、ＰＤＮ接続の非セルラーネットワークへのオフロードを行うことができる。セルラーネットワークのコンポーネント（例えば、図２のＰＧＷ２２６）は、どのＰＤＮ接続が非セルラーネットワークにオフロードされるべきかを決めて、この情報を１つ又は複数のＮＡＳメッセージを介してＭＴ４０４に提供することができる。
【００５９】
いくつかの実施形態において、ＴＥ４０２により送信される既存のＡＴコマンドと、これらのコマンドに関連した、ＭＴ４０４により送信される応答とが、これらにより、どのＰＤＮ接続が非セルラーネットワークにオフロードされ得るかをＴＥ４０２に示すことができるように変更される。
【００６０】
図５Ａ〜図５Ｃは、いくつかの実施形態による、変更されたＡＴコマンドのコマンド／応答テーブルを示す。後述されるように、これらの変更されたＡＴコマンドにより、特定のＰＤＮ接続のオフロード能力特性を示すデータをＴＥ４０２が受信することが可能になり、ＰＤＮ接続の個々の１次及び２次パケットデータプロトコル（ＰＤＰ）コンテキストのＷＬＡＮオフロード特性をＴＥが単独で照会して決定することも可能になる。後述されるコマンド／応答テーブルは、３ＧＰＰ（ＬＴＥ）プロトコル、レガシーの３ＧＰＰ  ＵＭＴＳ地上波無線アクセスネットワーク（ＵＴＲＡＮ）のネットワークプロトコルなど、様々なセルラー通信プロトコルに用いることができる。
【００６１】
コマンド／応答テーブルを示す目的のために、以下の構文上の定義が適用される。
【００６２】
＜ＣＲ＞：改行復帰文字であり、値がコマンドＳ３で指定される。
【００６３】
＜ＬＦ＞：改行文字であり、値がコマンドＳ４で指定される。
【００６４】
＜...＞：アングルブラケットで囲まれた名前が構文上の要素であり、ブラケット自体はコマンドラインに現れない。
【００６５】
［...］：コマンドのオプションのサブパラメータ、又はＴＡ情報応答のオプション部分が、スクエアブラケットで囲まれる。ブラケット自体はコマンドラインに現れない。サブパラメータがパラメータタイプコマンドに与えられない場合、新たな値は、その前の値に等しい。アクションタイプコマンドでは、サブパラメータの推奨初期設定に基づいて、アクションが行われるべきである。
【００６６】
下線：下線付きで規定されたサブパラメータ値は、このサブパラメータの推奨初期設定である。パラメータタイプコマンドでは、この値は、例えば、ＩＴＵ‐Ｔ勧告Ｖ．２５０の「Ｓｅｒｉａｌ  ａｓｙｎｃｈｒｏｎｏｕｓ  ａｕｔｏｍａｔｉｃ  ｄｉａｌｉｎｇ  ａｎｄ  ｃｏｎｔｒｏｌ」により構成され得る出荷時設定において用いられるべきであり、アクションタイプコマンドでは、この値は、サブパラメータが与えられない場合に用いられるべきである。
【００６７】
図５Ａは、ＡＴコマンドを報告（＋ＣＧＥＲＥＰ）するパケットドメインイベントのコマンド／応答テーブル５００を示す。この実施形態において、＋ＣＧＲＥＰコマンドは、ＰＤＮ接続がアクティブ化される、非アクティブ化される、又は変更される場合、ＰＤＮ接続のＷＬＡＮオフロード特性を提供するために更新される。
【００６８】
より具体的には、＋ＣＧＲＥＰコマンドに関しては、セットコマンドが非請求リザルトコードの送信を有効又は無効にする。＋ＣＧＥＶ：特定のイベントがパケットドメインＭＴ又はネットワークにおいて発生した場合に、ＭＴからＴＥにＸＸＸ。＜ｍｏｄｅ＞が、このコマンド内で指定される非請求リザルトコードの処理を制御する。＜ｍｏｄｅ＞１又は２が入力された場合、＜ｂｆｒ＞が、バッファに保留されたコードへの効果を制御する。設定がＭＴによりサポートされない場合、ＥＲＲＯＲ又は＋ＣＭＥ  ＥＲＲＯＲが返される。可能な＜ｅｒｒ＞の値は、例えば、３ＧＰＰ  ＴＳ２７．００７「ユーザ機器（ＵＥ）用のＡＴコマンドセット（ＡＴ  Ｃｏｍｍａｎｄ  ｓｅｔ  ｆｏｒ  Ｕｓｅｒ  Ｅｑｕｉｐｍｅｎｔ  （ＵＥ））」の下位条項９．２に規定される値を含む得るので、下位条項９．２を参照のこと。
【００６９】
読み出しコマンドが、現在のモード及びバッファ設定を返す。
【００７０】
テストコマンドが、ＭＴによりサポートされるモード及びバッファ設定を合成値として返す。
【００７１】
規定値は以下の通りである。
＜ｍｏｄｅ＞：整数型
０．非請求リザルトコードをＭＴのバッファに保留する。ＭＴのリザルトコードバッファが満杯の場合、最も古いリザルトコードが破棄されてよい。どのコードもＴＥに転送されない。
１．ＭＴ‐ＴＥリンクが確保されている場合（例えば、オンラインデータモードの場合）、非請求リザルトコードを破棄する。そうでなければ、非請求リザルトコードを直接ＴＥに転送する。
２．ＭＴ‐ＴＥリンクが確保されている場合（例えば、オンラインデータモードの場合）、非請求リザルトコードをＭＴのバッファに保留し、ＭＴ‐ＴＥリンクが利用可能になった場合、非請求リザルトコードをＴＥにフラッシュする。そうでなければ、非請求リザルトコードを直接ＴＥに転送する。
＜ｂｆｒ＞：整数型
０．＜ｍｏｄｅ＞１又は２が入力された場合、このコマンド内で規定される非請求リザルトコードのＭＴバッファがクリアされる。
１．＜ｍｏｄｅ＞１又は２が入力された場合、このコマンド内で規定される非請求リザルトコードのＭＴバッファがＴＥにフラッシュされる（これらのコードをフラッシュする前にＯＫ応答が与えられることになる）。
【００７２】
規定イベントが、ＧＰＲＳ／ＵＭＴＳ及びＬＴＥに有効である。
【００７３】
ネットワークアタッチメントについては、以下の非請求リザルトコード及び対応するイベントが規定される。
＋ＣＧＥＶ：ＮＷ  ＤＥＴＡＣＨ
ネットワークが、ＰＳデタッチを強制した。これは、全てのアクティブなコンテキストが非アクティブ化されたことを意味する。これらは、別々に報告されない。
＋ＣＧＥＶ：ＭＥ  ＤＥＴＡＣＨ
モバイルターミネーションが、ＰＳデタッチを強制した。これは、全てのアクティブなコンテキストが非アクティブ化されたことを意味する。これらは、別々に報告されない。
【００７４】
ＭＴクラスについては、以下の非請求リザルトコード及び対応するイベントが規定される。
＋ＣＧＥＶ：ＮＷ  ＣＬＡＳＳ  ＜ｃｌａｓｓ＞
ネットワークがＭＴクラスの変更を強制した。利用可能な最大クラスが報告される（＋ＣＧＣＬＡＳＳを参照）。パラメータ＜ｃｌａｓｓ＞のフォーマットは、コマンド＋ＣＧＣＬＡＳＳ内に見られる。
＋ＣＧＥＶ：ＭＥ  ＣＬＡＳＳ  ＜ｃｌａｓｓ＞
モバイルターミネーションが、ＭＴクラスの変更を強制した。利用可能な最大クラスが報告される（＋ＣＧＣＬＡＳＳを参照）。パラメータ＜ｃｌａｓｓ＞のフォーマットは、コマンド＋ＣＧＣＬＡＳＳ内に見られる。
【００７５】
ＰＤＰコンテキストのアクティブ化については、以下の非請求リザルトコード及び対応するイベントが規定される。
＋ＣＧＥＶ：ＮＷ  ＰＤＮ  ＡＣＴ  ＜ｃｉｄ＞  ［，＜ＷＬＡＮ＿Ｏｆｆｌｏａｄ＞］
ネットワークが、コンテキストをアクティブ化した。このコンテキストは、ＧＳＭ（登録商標）／ＵＭＴＳの１次ＰＤＰコンテキストを表す。このコンテキストの＜ｃｉｄ＞はＴＥに提供される。パラメータ＜ｃｉｄ＞のフォーマットは、コマンド＋ＣＧＤＣＯＮＴ内に見られる。
＜ＷＬＡＮ＿Ｏｆｆｌｏａｄ＞：整数型。指定されたＰＤＮ接続を用いて、ＷＬＡＮを介し、トラフィックがオフロードされ得るかどうかを示す整数である。これは、例えば、３ＧＰＰのＴＳ２４．００８「モバイル無線インタフェースレイヤ３仕様、コアネットワークプロトコルステージ３（Ｍｏｂｉｌｅ  Ｒａｄｉｏ  Ｉｎｔｅｒｆａｃｅ  Ｌａｙｅｒ  ３  ｓｐｅｃｉｆｉｃａｔｉｏｎ；  Ｃｏｒｅ  Ｎｅｔｗｏｒｋ  Ｐｒｏｔｏｃｏｌｓ−Ｓｔａｇｅ  ３）」に規定されるＷＬＡＮオフロードの受諾ＩＥにおける、ビット１（Ｅ−ＵＴＲＡＮのオフロード受諾の値）及びビット２（ＵＴＲＡＮのオフロード受諾の値）を指す。
０：Ｓ１モードでもＩｕモードでも受け入れられない場合、ＷＬＡＮを介してＰＤＮ接続のトラフィックをオフロードする。
１：Ｓ１モードでは受け入れられるが、Ｉｕモードでは受け入れられない場合、ＷＬＡＮを介してＰＤＮ接続のトラフィックをオフロードする。
２：Ｉｕモードでは受け入れられるが、Ｓ１モードでは受け入れられない場合、ＷＬＡＮを介してＰＤＮ接続のトラフィックをオフロードする。
３：Ｓ１モードでもＩｕモードでも受け入れられる場合、ＷＬＡＮを介してＰＤＮ接続のトラフィックをオフロードする。
注記：このイベントは、ＥＰＳには適用できない。Ｓ１モードは、Ｅ−ＵＴＲＡＮにおいてシグナリングを開始するユーザ機器を指し、Ｉｕモードは、ＵＴＲＡＮにおいてシグナリングを開始するユーザ機器を指す。
＋ＣＧＥＶ：ＭＥ  ＰＤＮ  ＡＣＴ  ＜ｃｉｄ＞［，＜ｒｅａｓｏｎ＞［，＜ｃｉｄ＿ｏｔｈｅｒ＞］］［，＜ＷＬＡＮ＿Ｏｆｆｌｏａｄ＞］
モバイルターミネーションが、コンテキストをアクティブ化した。このコンテキストは、ＬＴＥのＰＤＮ接続又はＧＳＭ（登録商標）／ＵＭＴＳの１次ＰＤＰコンテキストを表す。このコンテキストの＜ｃｉｄ＞はＴＥに提供される。このイベントは、明示的なコンテキストアクティブ化要求（＋ＣＧＡＣＴ）の結果において、又はアタッチ要求（＋ＣＧＡＴＴ＝１）に関連した暗黙のコンテキストアクティブ化要求の結果において送信される。パラメータ＜ｃｉｄ＞及び＜ｃｉｄ＿ｏｔｈｅｒ＞のフォーマットは、コマンド＋ＣＧＤＣＯＮＴ内に見られる。パラメータ＜ＷＬＡＮ＿Ｏｆｆｌｏａｄ＞のフォーマットは上記で規定される。＜ｒｅａｓｏｎ＞は整数型であり、ＰＤＰタイプのＩＰｖ４ｖ６のコンテキストアクティブ化要求が認められなかった理由を示す。このパラメータは、＜ｃｉｄ＞に関連する要求されたＰＤＰタイプがＩＰｖ４ｖ６である場合にだけ含まれ、ネットワークにより＜ｃｉｄ＞に割り当てられるＰＤＰタイプは、ＩＰｖ４又はＩＰｖ６である。
０．ＩＰｖ４だけが許可される。
１．ＩＰｖ６だけが許可される。
２．単一のアドレスベアラだけが許可される。
３．単一のアドレスベアラだけが許可され、ＭＴが開始した第２のアドレスタイプベアラのコンテキストアクティブ化は成功しなかった。
＜ｃｉｄ＿ｏｔｈｅｒ＞：整数型であり、ＭＴが開始した第２のアドレスタイプのコンテキストに対してＭＴにより割り当てられるコンテキスト識別子を示す。＜ｒｅａｓｏｎ＞パラメータが、単一のアドレスベアラだけが許可されることを示す場合、ＭＴだけがこのパラメータを含むことになり、ＭＴは、ＭＴが開始した第２のアドレスタイプのコンテキストアクティブ化を、ＴＥからの追加コマンドを用いずにサポートし、ＭＴは、＜ｃｉｄ＿ｏｔｈｅｒ＞に関連付けられたＰＤＮ接続又はＰＤＰコンテキストをアクティブ化した。
注記：ＴＥ要求を用いずに、ＭＴが開始したコンテキストアクティブ化をサポートするレガシーＴＥについては、次のイベント＋ＣＧＥＶも存在する。つまり、ＴＥに返されるＭＥ  ＰＤＮ  ＡＣＴ  ＜ｃｉｄ＿ｏｔｈｅｒ＞である。
＋ＣＧＥＶ：ＮＷ  ＡＣＴ  ＜ｐ＿ｃｉｄ＞、＜ｃｉｄ＞、＜ｅｖｅｎｔ＿ｔｙｐｅ＞  ［，＜ＷＬＡＮ＿Ｏｆｆｌｏａｄ＞］
ネットワークが、コンテキストをアクティブ化した。このコンテキストの＜ｃｉｄ＞は、関連プライマリ＜ｐ＿ｃｉｄ＞に加えて、ＴＥに提供される。パラメータ＜ｐ＿ｃｉｄ＞及び＜ｃｉｄ＞のフォーマットは、コマンド＋ＣＧＤＳＣＯＮＴ内に見られる。パラメータ＜ＷＬＡＮ＿Ｏｆｆｌｏａｄ＞のフォーマットは上記で規定される。
＜ｅｖｅｎｔ＿ｔｙｐｅ＞：整数型であり、これが情報イベントであるか、又はＴＥがそれを認識する必要があるかを示す。
０．情報イベント
１．情報要求：確認応答が必要となる。確認応答は受諾されても拒否されてもよい。＋ＣＧＡＮＳを参照のこと。
＋ＣＧＥＶ：ＭＥ  ＡＣＴ  ＜ｐ＿ｃｉｄ＞、＜ｃｉｄ＞、＜ｅｖｅｎｔ＿ｔｙｐｅ＞  ［，＜ＷＬＡＮ＿Ｏｆｆｌｏａｄ＞］
ネットワークが、ＭＥが開始したコンテキストアクティブ化に応答した。このコンテキストの＜ｃｉｄ＞は、関連プライマリ＜ｐ＿ｃｉｄ＞に加えて、ＴＥに提供される。パラメータ＜ｐ＿ｃｉｄ＞及び＜ｃｉｄ＞のフォーマットは、コマンド＋ＣＧＤＳＣＯＮＴ内に見られる。パラメータ＜ｅｖｅｎｔ＿ｔｙｐｅ＞及び＜ＷＬＡＮ＿Ｏｆｆｌｏａｄ＞のフォーマットは上記で規定される。
【００７６】
ＰＤＰコンテキストの非アクティブ化については、以下の非請求リザルトコード及び対応するイベントが規定される。
＋ＣＧＥＶ：ＮＷ  ＤＥＡＣＴ  ＜ＰＤＰ＿ｔｙｐｅ＞、＜ＰＤＰ＿ａｄｄｒ＞、［＜ｃｉｄ＞］
ネットワークが、コンテキストの非アクティブ化を強制した。コンテキストをアクティブ化するのに用いられた＜ｃｉｄ＞は、ＭＴに認識されている場合に提供される。パラメータ＜ＰＤＰ＿ｔｙｐｅ＞、＜ＰＤＰ＿ａｄｄｒ＞、及び＜ｃｉｄ＞のフォーマットは、コマンド＋ＣＧＤＣＯＮＴ内に見られる。
＋ＣＧＥＶ：ＭＥ  ＤＥＡＣＴ  ＜ＰＤＰ＿ｔｙｐｅ＞、＜ＰＤＰ＿ａｄｄｒ＞、［＜ｃｉｄ＞］
モバイルターミネーションが、コンテキストの非アクティブ化を強制した。コンテキストをアクティブ化するのに用いられた＜ｃｉｄ＞は、ＭＴに認識されている場合に提供される。パラメータ＜ＰＤＰ＿ｔｙｐｅ＞、＜ＰＤＰ＿ａｄｄｒ＞、及び＜ｃｉｄ＞のフォーマットは、コマンド＋ＣＧＤＣＯＮＴ内に見られる。
＋ＣＧＥＶ：ＮＷ  ＰＤＮ  ＤＥＡＣＴ  ＜ｃｉｄ＞［，＜ＷＬＡＮ＿Ｏｆｆｌｏａｄ＞］
ネットワークが、コンテキストを非アクティブ化した。このコンテキストは、ＬＴＥのＰＤＮ接続又はＧＳＭ（登録商標）／ＵＭＴＳの１次ＰＤＰコンテキストを表す。このコンテキストの関連＜ｃｉｄ＞はＴＥに提供される。パラメータ＜ｃｉｄ＞のフォーマットは、コマンド＋ＣＧＤＣＯＮＴ内に見られる。パラメータ＜ＷＬＡＮ＿Ｏｆｆｌｏａｄ＞のフォーマットは上記で規定される。
注記：このイベントが発生すると、イベント＋ＣＧＥＶ：ＮＷ  ＤＥＡＣＴ  ＜ＰＤＰ＿ｔｙｐｅ＞、＜ＰＤＰ＿ａｄｄｒ＞、［＜ｃｉｄ＞］の使用法が変わる。
＋ＣＧＥＶ：ＭＥ  ＰＤＮ  ＤＥＡＣＴ  ＜ｃｉｄ＞
モバイルターミネーションが、コンテキストを非アクティブ化した。このコンテキストは、ＬＴＥのＰＤＮ接続又はＧＳＭ（登録商標）／ＵＭＴＳの１次ＰＤＰコンテキストを表す。このコンテキストの＜ｃｉｄ＞はＴＥに提供される。パラメータ＜ｃｉｄ＞のフォーマットは、コマンド＋ＣＧＤＣＯＮＴ内に見られる。
注記：このイベントが発生すると、イベント＋ＣＧＥＶ：ＭＥ  ＤＥＡＣＴ  ＜ＰＤＰ＿ｔｙｐｅ＞、＜ＰＤＰ＿ａｄｄｒ＞、［＜ｃｉｄ＞］の使用法が変わる。
＋ＣＧＥＶ：ＮＷ  ＤＥＡＣＴ  ＜ｐ＿ｃｉｄ＞、＜ｃｉｄ＞、＜ｅｖｅｎｔ＿ｔｙｐｅ＞  ［，＜ＷＬＡＮ＿Ｏｆｆｌｏａｄ＞］
ネットワークが、コンテキストを非アクティブ化した。このコンテキストの＜ｃｉｄ＞は、関連プライマリ＜ｐ＿ｃｉｄ＞に加えて、ＴＥに提供される。パラメータ＜ｐ＿ｃｉｄ＞及び＜ｃｉｄ＞のフォーマットは、コマンド＋ＣＧＤＳＣＯＮＴ内に見られる。パラメータ＜ｅｖｅｎｔ＿ｔｙｐｅ＞及び＜ＷＬＡＮ＿Ｏｆｆｌｏａｄ＞のフォーマットは上記で規定される。
注記：このイベントが発生すると、イベント＋ＣＧＥＶ：ＮＷ  ＤＥＡＣＴ  ＜ＰＤＰ＿ｔｙｐｅ＞、＜ＰＤＰ＿ａｄｄｒ＞、［＜ｃｉｄ＞］の使用法が変わる。
＋ＣＧＥＶ：ＭＥ  ＤＥＡＣＴ  ＜ｐ＿ｃｉｄ＞、＜ｃｉｄ＞、＜ｅｖｅｎｔ＿ｔｙｐｅ＞
ネットワークが、ＭＥが開始したコンテキスト非アクティブ化要求に応答した。関連＜ｃｉｄ＞は、関連プライマリ＜ｐ＿ｃｉｄ＞に加えて、ＴＥに提供される。パラメータ＜ｐ＿ｃｉｄ＞及び＜ｃｉｄ＞のフォーマットは、コマンド＋ＣＧＤＳＣＯＮＴ内に見られる。パラメータ＜ｅｖｅｎｔ＿ｔｙｐｅ＞のフォーマットは上記で規定される。
注記：このイベントが発生すると、イベント＋ＣＧＥＶ：ＭＥ  ＤＥＡＣＴ  ＜ＰＤＰ＿ｔｙｐｅ＞、＜ＰＤＰ＿ａｄｄｒ＞、＜ｃｉｄ＞］の使用法が変わる。
【００７７】
ＰＤＰコンテキストの変更については、以下の非請求リザルトコード及び対応するイベントが規定される。
＋ＣＧＥＶ：ＮＷ  ＭＯＤＩＦＹ  ＜ｃｉｄ＞、＜ｃｈａｎｇｅ＿ｒｅａｓｏｎ＞、＜ｅｖｅｎｔ＿ｔｙｐｅ＞  ［，＜ＷＬＡＮ＿Ｏｆｆｌｏａｄ＞］
ネットワークが、コンテキストを変更した。関連＜ｃｉｄ＞が、＜ｃｈａｎｇｅ＿ｒｅａｓｏｎ＞及び＜ｅｖｅｎｔ＿ｔｙｐｅ＞に加えて、ＴＥに提供される。パラメータ＜ｃｉｄ＞のフォーマットは、コマンド＋ＣＧＤＣＯＮＴ又は＋ＣＧＤＳＣＯＮＴ内に見られる。パラメータ＜ｃｈａｎｇｅ＿ｒｅａｓｏｎ＞、＜ｅｖｅｎｔ＿ｔｙｐｅ＞、及び＜ＷＬＡＮ＿Ｏｆｆｌｏａｄ＞のフォーマットは、上記で規定される。
＜ｃｈａｎｇｅ＿ｒｅａｓｏｎ＞：整数型であり、どういう種類の変更が発生したかを示すビットマップである。
＜ｃｈａｎｇｅ＿ｒｅａｓｏｎ＞の値は、適用できるビットを全て合計することで決定される。例えば、ＱｏＳ変更の値（ビット２）及びＷＬＡＮ＿Ｏｆｆｌｏａｄ変更の値（ビット３）の両方が変わった場合、＜ｃｈａｎｇｅ＿ｒｅａｓｏｎ＞の値は６である。
注記：ＷＬＡＮオフロードの値は、ＷＬＡＮオフロード受諾ＩＥのインジケータのビット１又はビット２又はその両方が変わった場合に変わることになる。上記で規定されたパラメータ＜ＷＬＡＮ＿Ｏｆｆｌｏａｄ＞を参照のこと。
ビット１：ＴＦＴ変更
ビット２：ＱｏＳ変更
ビット３：ＷＬＡＮオフロード変更
＋ＣＧＥＶ：ＭＥ  ＭＯＤＩＦＹ  ＜ｃｉｄ＞、＜ｃｈａｎｇｅ＿ｒｅａｓｏｎ＞、＜ｅｖｅｎｔ＿ｔｙｐｅ＞  ［，＜ＷＬＡＮ＿Ｏｆｆｌｏａｄ＞］
モバイルターミネーションが、コンテキストを変更した。関連＜ｃｉｄ＞が、＜ｃｈａｎｇｅ＿ｒｅａｓｏｎ＞及び＜ｅｖｅｎｔ＿ｔｙｐｅ＞に加えて、ＴＥに提供される。パラメータ＜ｃｉｄ＞のフォーマットは、コマンド＋ＣＧＤＣＯＮＴ又は＋ＣＧＤＳＣＯＮＴ内に見られる。パラメータ＜ｃｈａｎｇｅ＿ｒｅａｓｏｎ＞、＜ｅｖｅｎｔ＿ｔｙｐｅ＞、及び＜ＷＬＡＮ＿Ｏｆｆｌｏａｄ＞のフォーマットは、上記で規定される。
【００７８】
他のＰＤＰコンテキスト処理については、以下の非請求リザルトコード及び対応するイベントが規定される。
＋ＣＧＥＶ：ＲＥＪＥＣＴ  ＜ＰＤＰ＿ｔｙｐｅ＞、＜ＰＤＰ＿ａｄｄｒ＞  コンテキストアクティブ化のネットワーク要求は、ＭＴがそれを＋ＣＲＩＮＧの非請求リザルトコードを用いてＴＥに報告できなかった場合に発生し、自動的に拒否された。パラメータ＜ＰＤＰ＿ｔｙｐｅ＞及び＜ＰＤＰ＿ａｄｄｒ＞のフォーマットは、コマンド＋ＣＧＤＣＯＮＴ内に見られる。
注記：このイベントは、ＥＰＳには適用できない。
＋ＣＧＥＶ：ＮＷ  ＲＥＡＣＴ  ＜ＰＤＰ＿ｔｙｐｅ＞、＜ＰＤＰ＿ａｄｄｒ＞、［＜ｃｉｄ＞］
ネットワークが、コンテキストの再アクティブ化を要求した。コンテキストを再アクティブ化するのに用いられた＜ｃｉｄ＞は、ＭＴに認識されている場合に提供される。パラメータ＜ＰＤＰ＿ｔｙｐｅ＞、＜ＰＤＰ＿ａｄｄｒ＞、及び＜ｃｉｄ＞のフォーマットは、コマンド＋ＣＧＤＣＯＮＴ内に見られる。
注記：このイベントは、ＥＰＳには適用できない。
【００７９】
図５Ｂは、ＰＤＰコンテキスト読み出し動的パラメータ（＋ＣＧＣＯＮＴＲＤＰ）コマンドのコマンド／応答テーブル５１０を示す。この実施形態において、＋ＣＧＣＯＮＴＲＤＰコマンドは、１次ＰＤＰコンテキストに関連付けられた任意のアクティブなＰＤＮ接続のＷＬＡＮオフロード特性を照会するのに用いることができる。本明細書で論じられるように、ＰＤＰコンテキストはパラメータの記録を含み、ＰＤＰタイプ、ＰＤＰアドレスタイプ、ＱｏＳプロファイル要求（例えば、ユーザにより要求されたＱｏＳパラメータ）、ネゴシエーションされたＱｏＳプロファイル（例えば、ネットワークによりネゴシエーションされたＱｏＳパラメータ）、認証タイプ（例えば、ＰＡＰ又はＣＨＡＰ）、及びＤＮＳタイプ（例えば、動的ＤＮＳ又は静的ＤＮＳ）など、エンドツーエンド接続を確立するための情報を含む。
【００８０】
より具体的には、＋ＣＧＣＯＮＴＲＤＰコマンドに関して、実行コマンドは、コンテキスト識別子＜ｃｉｄ＞を有するアクティブな非２次ＰＤＰコンテキストの＜ｂｅａｒｅｒ＿ｉｄ＞、＜ａｐｎ＞、＜ｌｏｃａｌ＿ａｄｄｒ  ａｎｄ  ｓｕｂｎｅｔ＿ｍａｓｋ＞、＜ｇｗ＿ａｄｄｒ＞、＜ＤＮＳ＿ｐｒｉｍ＿ａｄｄｒ＞、＜ＤＮＳ＿ｓｅｃ＿ａｄｄｒ＞、＜Ｐ−ＣＳＣＦ＿ｐｒｉｍ＿ａｄｄｒ＞、＜Ｐ−ＣＳＣＦ＿ｓｅｃ＿ａｄｄｒ＞、＜ＩＭ＿ＣＮ＿Ｓｉｇｎａｌｌｉｎｇ＿Ｆｌａｇ＞、＜ＬＩＰＡ＿ｉｎｄｉｃａｔｉｏｎ＞、＜ＩＰｖ４＿ＭＴＵ＞、及び＜ＷＬＡＮ＿Ｏｆｆｌｏａｄ＞といった関連情報を返す。
【００８１】
上記フィールドは、例えば、１次ＰＤＰコンテキストに関連付けられたベアラ識別、１次ＰＤＰコンテキストに関連付けられたアクセスポイント名、１次ＰＤＰコンテキストに関連付けられたローカルアドレス及びサブネットマスク、１次ＰＤＰコンテキストに関連付けられたゲートウェイアドレス、１次コンテキストに関連付けられた１次又は２次ドメインネームシステム（ＤＮＳ）サーバアドレス、１次ＰＤＰコンテキストに関連付けられた１次又は２次プロキシコールセッション制御機能（Ｐ−ＣＳＣＦ）サーバアドレス、１次ＰＤＰコンテキストに関連付けられ、ＰＤＮ接続をマルチメディアＰＤＮ接続として識別するＩＰマルチメディアコアネットワーク（ＩＭ＿ＣＮ）フラグ、１次ＰＤＰコンテキストに関連付けられたローカルＩＰアクセス（ＬＩＰＡ）インジケータ、１次ＰＤＰコンテキストの最大パケットサイズを規定するＩＰ最大送信単位（ＭＴＵ）、又は１次ＰＤＰコンテキストに関連付けられたＰＤＮ接続がセルラーネットワークから非セルラーネットワークにオフロードされ得るかを示すデータを表すことができる。
【００８２】
ＭＴが、Ｐ−ＣＳＣＦサーバの２つを超えるＩＰアドレス、又はＤＮＳサーバの２つを超えるＩＰアドレスを示す場合、＜ｃｉｄ＞ごとに複数行の情報が返されることになる。
【００８３】
ＭＴがデュアルスタック機能を有する場合、情報を有する少なくとも１対の行が＜ｃｉｄ＞ごとに返される。ＩＰｖ４パラメータを有する最初の１行の後に、ＩＰｖ６パラメータを有する１行が続く。デュアルスタック機能を有するこのＭＴが、２つを超えるＰ−ＣＳＣＦサーバのＩＰアドレス、又は２つを超えるＤＮＳサーバのＩＰアドレスを示す場合、複数のそのような対の行が返される。
【００８４】
注記：ＭＴが１行に含まれるはずのＩＰアドレス全てを持たない場合、例えば、ＵＥが、４つのＤＮＳサーバのＩＰアドレス及び２つのＰ−ＣＳＣＦサーバのＩＰアドレスを受信した場合、ポピュレートされることができないＩＰアドレスを表すパラメータ値が、空文字列又は不在文字列にセットされる。
【００８５】
パラメータ＜ｃｉｄ＞が省略されている場合、全てのアクティブな非２次ＰＤＰコンテキストの関連情報が返される。
【００８６】
テストコマンドは、アクティブな非２次コンテキストに関連付けられた＜ｃｉｄ＞のリストを返す。
【００８７】
規定値：
＜ｃｉｄ＞：整数型であり、特定の非２次ＰＤＰコンテキストの定義を指定する。このパラメータはＴＥ−ＭＴインタフェースに対してローカルであり、他のＰＤＰコンテキスト関連のコマンドにおいて用いられる（＋ＣＧＤＣＯＮＴコマンド及び＋ＣＧＤＳＣＯＮＴコマンドを参照のこと）。
＜ｂｅａｒｅｒ＿ｉｄ＞：整数型であり、ベアラ、すなわちＥＰＳのＥＰＳベアラ、及びＵＭＴＳ／ＧＰＲＳのＮＳＡＰＩを識別する。
＜ａｐｎ＞：文字列型であり、ＧＧＳＮ又は外部のパケットデータネットワークを選択するのに用いられた論理名である。
＜ｌｏｃａｌ＿ａｄｄｒ  ａｎｄ  ｓｕｂｎｅｔ＿ｍａｓｋ＞：文字列型であり、ＭＴのＩＰアドレス及びサブネットマスクを示す。この文字列は、ドットで区切られた数字（０〜２５５）のパラメータとして、以下の形態で与えられる。すなわち、ＩＰｖ４では「ａ１．ａ２．ａ３．ａ４．ｍ１．ｍ２．ｍ３．ｍ４」、ＩＰｖ６では「ａ１．ａ２．ａ３．ａ４．ａ５．ａ６．ａ７．ａ８．ａ９．ａ１０．ａ１１．ａ１２．ａ１３．ａ１４．ａ１５．ａ１６．ｍ１．ｍ２．ｍ３．ｍ４．ｍ５．ｍ６．ｍ７．ｍ８．ｍ９．ｍ１０．ｍ１１．ｍ１２．ｍ１３．ｍ１４．ｍ１５．ｍ１６」となる。＋ＣＧＰＩＡＦがサポートされる場合、その設定は、＋ＣＧＣＯＮＴＲＤＰの実行形態で返されるこのパラメータのフォーマットに影響を及ぼすことがある。
＜ｇｗ＿ａｄｄｒ＞：文字列型であり、ＭＴのゲートウェイアドレスを示す。この文字列は、ドットで区切られた数字（０〜２５５）のパラメータとして与えられる。＋ＣＧＰＩＡＦがサポートされる場合、その設定は、＋ＣＧＣＯＮＴＲＤＰの実行形態で返されるこのパラメータのフォーマットに影響を及ぼすことがある。
＜ＤＮＳ＿ｐｒｉｍ＿ａｄｄｒ＞：文字列型であり、１次ＤＮＳサーバのＩＰアドレスを示す。＋ＣＧＰＩＡＦがサポートされる場合、その設定は、＋ＣＧＣＯＮＴＲＤＰの実行形態で返されるこのパラメータのフォーマットに影響を及ぼすことがある。
＜ＤＮＳ＿ｓｅｃ＿ａｄｄｒ＞：文字列型であり、２次ＤＮＳサーバのＩＰアドレスを示す。＋ＣＧＰＩＡＦがサポートされる場合、その設定は、＋ＣＧＣＯＮＴＲＤＰの実行形態で返されるこのパラメータのフォーマットに影響を及ぼすことがある。
＜Ｐ＿ＣＳＣＦ＿ｐｒｉｍ＿ａｄｄｒ＞：文字列型であり、１次Ｐ−ＣＳＣＦサーバのＩＰアドレスを示す。＋ＣＧＰＩＡＦがサポートされる場合、その設定は、＋ＣＧＣＯＮＴＲＤＰの実行形態で返されるこのパラメータのフォーマットに影響を及ぼすことがある。
＜Ｐ＿ＣＳＣＦ＿ｓｅｃ＿ａｄｄｒ＞：文字列型であり、２次Ｐ−ＣＳＣＦサーバのＩＰアドレスを示す。＋ＣＧＰＩＡＦがサポートされる場合、その設定は、＋ＣＧＣＯＮＴＲＤＰの実行形態で返されるこのパラメータのフォーマットに影響を及ぼすことがある。
＜ＩＭ＿ＣＮ＿Ｓｉｇｎａｌｌｉｎｇ＿Ｆｌａｇ＞：整数型であり、ＰＤＰコンテキストがＩＭ  ＣＮサブシステム関連のシグナリング専用かどうかを示す。
０：ＰＤＰコンテキストは、ＩＭ  ＣＮサブシステム関連のシグナリング専用ではない。
１：ＰＤＰコンテキストは、ＩＭ  ＣＮサブシステム関連のシグナリング専用である。
＜ＬＩＰＡ＿ｉｎｄｉｃａｔｉｏｎ＞：整数型であり、ＰＤＰコンテキストがＬＩＰＡ  ＰＤＮ接続を用いて接続を提供することを示す。このパラメータは、ＴＥにより設定することはできない。
０：ＰＤＰコンテキストがＬＩＰＡ  ＰＤＮ接続を用いて接続を提供するというインジケーションが受信されない。
１：ＰＤＰコンテキストがＬＩＰＡ  ＰＤＮ接続を用いて接続を提供するというインジケーションが受信される。
＜ＩＰｖ４＿ＭＴＵ＞：整数型であり、ＩＰｖ４のＭＴＵサイズをオクテットで示す。
＜ＷＬＡＮ＿Ｏｆｆｌｏａｄ＞：整数型であり、トラフィックが、指定されたＰＤＮ接続を用いて、ＷＬＡＮを介してオフロードされ得るかどうかを示す整数である。これは例えば、３ＧＰＰのＴＳ２４．００８の下位条項１０．５．６．２０に指定されるように、ＷＬＡＮオフロード受諾ＩＥのビット１及び２を指す。
０：Ｓ１モードでもＩｕモードでも受け入れられない場合、ＷＬＡＮを介してＰＤＮ接続のトラフィックをオフロードする。
１：Ｓ１モードでは受け入れられるが、Ｉｕモードでは受け入れられない場合、ＷＬＡＮを介してＰＤＮ接続のトラフィックをオフロードする。
２：Ｉｕモードでは受け入れられるが、Ｓ１モードでは受け入れられない場合、ＷＬＡＮを介してＰＤＮ接続のトラフィックをオフロードする。
３：Ｓ１モードでもＩｕモードでも受け入れられる場合、ＷＬＡＮを介してＰＤＮ接続のトラフィックをオフロードする。
【００８８】
図５Ｃは、２次ＰＤＰコンテキスト読み出し動的パラメータ（＋ＣＧＳＣＯＮＴＲＤＰ）コマンドのコマンド／応答テーブル５２０を示す。この実施形態において、＋ＣＧＳＣＯＮＴＲＤＰコマンドは、任意のアクティブな２次ＰＤＰコンテキストに関連付けられたアクティブなＰＤＮ接続のＷＬＡＮオフロード特性を照会するのに用いることができる。
【００８９】
より具体的には、＋ＣＧＳＣＯＮＴＲＤＰコマンドに関して、実行コマンドは、コンテキスト識別子＜ｃｉｄ＞を有するアクティブな２次ＰＤＰコンテキストのために、＜ｐ＿ｃｉｄ＞、＜ｂｅａｒｅｒ＿ｉｄ＞、＜ＩＭ＿ＣＮ＿Ｓｉｇｎａｌｌｉｎｇ＿Ｆｌａｇ＞、及び＜ＷＬＡＮ＿Ｏｆｆｌｏａｄ＞を返す。
【００９０】
パラメータ＜ｃｉｄ＞が省略されている場合、＜ｃｉｄ＞、＜ｐ＿ｃｉｄ＞、＜ｂｅａｒｅｒ＿ｉｄ＞、＜ＩＭ＿ＣＮ＿Ｓｉｇｎａｌｌｉｎｇ＿Ｆｌａｇ＞、及び＜ＷＬＡＮ＿Ｏｆｆｌｏａｄ＞が、全てのアクティブな２次ＰＤＰコンテキストのために返される。
【００９１】
ＥＰＳでは、トラフィックフローパラメータが返される。
【００９２】
注記：ＵＥにより開始されるＰＤＰコンテキスト、及びネットワークにより開始されるＰＤＰコンテキストのためのパラメータが返される。
【００９３】
テストコマンドは、アクティブな２次ＰＤＰコンテキストに関連付けられた＜ｃｉｄ＞のリストを返す。
【００９４】
規定値：
＜ｃｉｄ＞：整数型であり、特定のアクティブな２次ＰＤＰコンテキスト又はトラフィックフロー定義を指定する。このパラメータは、ＴＥ−ＭＴインタフェースに対してローカルであり、他のＰＤＰコンテキスト関連のコマンドにおいて用いられる（＋ＣＧＤＣＯＮＴコマンド及び＋ＣＧＤＳＣＯＮＴを参照のこと）。
＜ｐ＿ｃｉｄ＞：整数型であり、＋ＣＧＤＣＯＮＴコマンドを用いることで指定された、特定のＰＤＰコンテキスト定義又はデフォルトのＥＰＳコンテキスト識別子を指定する。このパラメータは、ＴＥ−ＭＴインタフェースに対してローカルである（＋ＣＧＤＳＣＯＮＴコマンドを参照のこと）。
＜ｂｅａｒｅｒ＿ｉｄ＞：整数型であり、ベアラ、ＥＰＳのＥＰＳベアラ、及びＵＭＴＳ／ＧＰＲＳのＮＳＡＰＩを識別する。
＜ＩＭ＿ＣＮ＿Ｓｉｇｎａｌｌｉｎｇ＿Ｆｌａｇ＞：整数型であり、ＰＤＰコンテキストがＩＭ  ＣＮサブシステム関連のシグナリング専用かどうかを示す。
０：ＰＤＰコンテキストは、ＩＭ  ＣＮサブシステム関連のシグナリング専用ではない。
１：ＰＤＰコンテキストは、ＩＭ  ＣＮサブシステム関連のシグナリング専用である。
＜ＷＬＡＮ＿Ｏｆｆｌｏａｄ＞：整数型であり、トラフィックが、指定されたＰＤＮ接続を用いて、ＷＬＡＮを介してオフロードされ得るかどうかを示す整数である。これは例えば、３ＧＰＰのＴＳ２４．００８の下位条項１０．５．６．２０に指定されるように、ＷＬＡＮオフロード受諾ＩＥのビット１及び２を指す。
０：Ｓ１モードでもＩｕモードでも受け入れられない場合、ＷＬＡＮを介してＰＤＮ接続のトラフィックをオフロードする。
１：Ｓ１モードでは受け入れられるが、Ｉｕモードでは受け入れられない場合、ＷＬＡＮを介してＰＤＮ接続のトラフィックをオフロードする。
２：Ｉｕモードでは受け入れられるが、Ｓ１モードでは受け入れられない場合、ＷＬＡＮを介してＰＤＮ接続のトラフィックをオフロードする。
３：Ｓ１モードでもＩｕモードでも受け入れられ場合、ＷＬＡＮを介してＰＤＮ接続のトラフィックをオフロードする。
【００９５】
したがって、上述した実施形態において、既存のＡＴコマンドである＋ＣＧＥＲＥＰ、＋ＣＧＣＯＮＴＲＤＰ、及び＋ＣＧＳＣＯＮＴＲＤＰが、ＰＤＮ接続ごとにＷＬＡＮオフロードインジケーションをＴＥに提供するために拡張される。さらに、ＷＬＡＮ＿ＯＦＦＬＯＡＤ設定は、個々のＰＤＮ接続に対して固有のものであるとみなされることがある。ＷＬＡＮ＿ＯＦＦＬＯＡＤ設定を新たなパラメータとして追加することで、この設定をあらゆる単一のＰＤＮ接続のオフロードに適用させることが可能になる。さらに、このパラメータにより、ＵＴＲＡＮ又はＥＵＴＲＡＮなどの特定の無線接続技術（ＲＡＴ）に対するＷＬＡＮオフロード特性を決定することが可能になる。
【００９６】
図５Ｄは、いくつかの実施形態に従って、ＷＬＡＮオフロード支援情報を提供するためのコマンド／応答テーブル５３０を示す。テーブル５３０は、ＷＬＡＮオフロード支援データ（＋ＣＷＬＡＮＯＬＡＤ）ＡＴコマンドを示す。ＷＬＡＮオフロード支援データがＭＴで変わるたびに、セットコマンドが、以下の非請求リザルトコードのＭＴからＴＥへの送信を有効又は無効にする。＋ＣＷＬＡＮＯＬＡＤＩ：［，＜ｔｈｒｅｓｈＲＳＣＰＬｏｗ＞，＜ｔｈｒｅｓｈＲＳＣＰＨｉｇｈ＞［，＜ｔｈｒｅｓｈＥｃｎｏＬｏｗ＞，＜ｔｈｒｅｓｈＥｃｎｏＨｉｇｈ＞［，＜ｔｈｒｅｓｈＲＳＲＰＬｏｗ＞，＜ｔｈｒｅｓｈＲＳＲＰＨｉｇｈ＞［，＜ｔｈｒｅｓｈＲＳＲＱＬｏｗ＞，＜ｔｈｒｅｓｈＲＳＲＱＨｉｇｈ＞［，＜ｔｈｒｅｓｈＣｈＵｔｉｌＬｏｗ＞，＜ｔｈｒｅｓｈＣｈＵｔｉｌＨｉｇｈ＞［，＜ｔｈｒｅｓｈＢａｃｋｈＲａｔｅＤＬＬｏｗ＞，＜ｔｈｒｅｓｈＢａｃｋｈＲａｔｅＤＬＨｉｇｈ＞［，＜ｔｈｒｅｓｈＢａｃｋｈＲａｔｅＵＬＬｏｗ＞，＜ｔｈｒｅｓｈＢａｃｋｈＲａｔｅＵＬＨｉｇｈ＞［，＜ｔｈｒｅｓｈＢｅａｃｏｎＲＳＳＩＬｏｗ＞，＜ｔｈｒｅｓｈＢｅａｃｏｎＲＳＳＩＨｉｇｈ＞［，＜ｏｐｉ＞［，＜ｔＳｔｅｅｒｉｎｇ＞［，＜ＷＬＡＮＩｄｅｎｔｉｆｉｅｒＬｉｓｔＬｅｎｇｔｈ＞［，＜ｓｓｉｄ＿１＞，＜ｂｓｓｉｄ＿１＞，＜ｈｅｓｓｉｄ＿１＞］［，…］［，＜ｓｓｉｄ＿ｍ＞，＜ｂｓｓｉｄ＿ｍ＞，＜ｈｅｓｓｉｄ＿ｍ＞］］］］］］］］］］］］。
【００９７】
設定がＭＴによってサポートされない場合、ＥＲＲＯＲ又は＋ＣＭＥ  ＥＲＲＯＲが返される。
【００９８】
読み出しコマンドが、リザルトコードの現在のステータス、及びＭＴで現在利用可能なＷＬＡＮオフロード支援データを返す。
【００９９】
テストコマンドが、ＭＴによりサポートされる値を合成値として返す。
【０１００】
規定値：
＜ｎ＞：整数型
０：ＷＬＡＮオフロード支援データの非請求リザルトコードを無効にする。
１：ＷＬＡＮオフロード支援データの非請求リザルトコードを有効にする。＋ＣＷＬＡＮＯＬＡＤＩ
＜ｔｈｒｅｓｈＲＳＣＰＬｏｗ＞：整数型であり、ＵＴＲＡＮからＷＬＡＮにトラフィックをオフロードするための受信信号コード電力に関する閾値を示す。
＜ｔｈｒｅｓｈＲＳＣＰＨｉｇｈ＞：整数型であり、ＷＬＡＮからＵＴＲＡＮにトラフィックをオフロードするための受信信号コード電力に関する閾値を示す。
＜ｔｈｒｅｓｈＥｃｎｏＬｏｗ＞：整数型であり、ＵＴＲＡＮからＷＬＡＮにトラフィックをオフロードするための、総受信パワースペクトル密度に対する疑似ランダムノイズ（ＰＮ）チップ当たりの受信エネルギーの比率に関する閾値を示す。
＜ｔｈｒｅｓｈＥｃｎｏＨｉｇｈ＞：整数型であり、ＷＬＡＮからＵＴＲＡＮにトラフィックをオフロードするための、総受信パワースペクトル密度に対するＰＮチップ当たりの受信エネルギーの比率に関する閾値を示す。
＜ｔｈｒｅｓｈＲＳＲＰＬｏｗ＞：整数型であり、Ｅ−ＵＴＲＡＮからＷＬＡＮにトラフィックをオフロードするための参照信号受信電力に関する閾値を示す。
＜ｔｈｒｅｓｈＲＳＲＰＨｉｇｈ＞：整数型であり、ＷＬＡＮからＥ−ＵＴＲＡＮにトラフィックをオフロードするための参照信号受信電力に関する閾値を示す。
＜ｔｈｒｅｓｈＲＳＲＱＬｏｗ＞：整数型であり、Ｅ−ＵＴＲＡＮからＷＬＡＮにトラフィックをオフロードするための、参照信号受信品質に関する閾値を示す。
＜ｔｈｒｅｓｈＲＳＲＱＨｉｇｈ＞：整数型であり、ＷＬＡＮからＥ−ＵＴＲＡＮにトラフィックをオフロードするための参照信号受信品質に関する閾値を示す。
（上記値は例えば、３ＧＰＰのＴＳ２７．００７「ユーザ機器（ＵＥ）用のＡＴコマンドセット（ＡＴ  Ｃｏｍｍａｎｄ  ｓｅｔ  ｆｏｒ  Ｕｓｅｒ  Ｅｑｕｉｐｍｅｎｔ  （ＵＥ））」の下位条項８．６９に準拠してよい）。
＜ｔｈｒｅｓｈＣｈＵｔｉｌＬｏｗ＞：整数型であり、ＷＬＡＮにオフロードするトラフィック用に８０２．１１（ビーコン又はプローブ応答）シグナリングから取得されるＷＬＡＮチャネル利用率（ＢＳＳ負荷）の下限閾値を示す。
＜ｔｈｒｅｓｈＣｈＵｔｉｌＨｉｇｈ＞：整数型であり、ＵＴＲＡＮ又はＥ−ＵＴＲＡＮにオフロードするトラフィック用に８０２．１１（ビーコン又はプローブ応答）シグナリングから取得されるＷＬＡＮチャネル利用率（ＢＳＳ負荷）の上限閾値を示す。ＩＥＥＥ８０２．１１［１５２］を参照のこと。
（上記値は、ＩＥＥＥ８０２．１１（例えば、ＩＥＥＥ８０２．１１ｎ）無線通信規格に準拠してよい）。
＜ｔｈｒｅｓｈＢａｃｋｈＲａｔｅＤＬＬｏｗ＞：整数型であり、ＵＴＲＡＮ又はＥ−ＵＴＲＡＮにオフロードするトラフィック用のバックホールの利用可能なダウンリンク帯域幅に関する下限閾値を示す。
＜ｔｈｒｅｓｈＢａｃｋｈＲａｔｅＤＬＨｉｇｈ＞：整数型であり、ＷＬＡＮにオフロードするトラフィック用のバックホールの利用可能なダウンリンク帯域幅に関する上限閾値を示す。
＜ｔｈｒｅｓｈＢａｃｋｈＲａｔｅＵＬＬｏｗ＞：整数型であり、ＵＴＲＡＮ又はＥ−ＵＴＲＡＮにオフロードするトラフィック用のバックホールの利用可能なアップリンク帯域幅の下限閾値を示す。
＜ｔｈｒｅｓｈＢａｃｋｈＲａｔｅＤＬＨｉｇｈ＞：整数型であり、ＷＬＡＮにオフロードするトラフィック用のバックホールの利用可能なアップリンク帯域幅に関する上限閾値を示す。
（上記値は、Ｗｉ−Ｆｉ  Ｃｅｒｔｉｆｉｅｄ  ｐａｓｓｐｏｉｎｔ（例えば、ＨｏｔＳｐｏｔ２．０）仕様に準拠してよい）。
＜ｔｈｒｅｓｈＢｅａｃｏｎＲＳＳＩＬｏｗ＞：整数型であり、ＵＴＲＡＮ又はＥ−ＵＴＲＡＮにオフロードするトラフィックに用いられるビーコンＲＳＳＩの下限閾値を示す。
＜ｔｈｒｅｓｈＢｅａｃｏｎＲＳＳＩＨｉｇｈ＞：整数型であり、ＷＬＡＮにオフロードするトラフィックに用いられるビーコンＲＳＳＩの上限閾値を示す。
（上記値は、ＩＥＥＥ８０２．１１（例えばＩＥＥＥ８０２．１１ｎ）無線通信規格に準拠してよい）。
＜ｏｐｉ＞：整数型であり、オフロードプレファレンスインジケータを指定するビットマップとしてフォーマットされた１６ビットの整数である。
（上記値は例えば、３ＧＰＰのＴＳ２４．３１２「アクセスネットワーク発見選択機能（ＡＮＤＳＦ）管理オブジェクト（ＭＯ）（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ  （ＡＮＤＳＦ）  Ｍａｎａｇｅｍｅｎｔ  Ｏｂｊｅｃｔ  （ＭＯ））」に準拠してよい）。
＜ｔＳｔｅｅｒｉｎｇ＞：整数型であり、Ｅ−ＵＴＲＡＮとＷＬＡＮとの間でトラフィックオフロードを開始する前に、ルールが遵守されるべきタイマ値を秒単位で示す。
＜ｓｓｉｄ＞：オクテット文字列型であり、８０２．１１サービスセット識別子（ＳＳＩＤ）を示す。
＜ｂｓｓｉｄ＞：オクテット文字列型であり、８０２．１１基本サービスセット識別子（ＢＳＳＩＤ）を示す。
＜ｈｅｓｓｉｄ＞：オクテット文字列型であり、８０２．１１同種拡張サービスセット識別子（ＨＥＳＳＩＤ）を示す。
（上記値は、ＩＥＥＥ８０２．１１（例えば、ＩＥＥＥ８０２．１１ｎ）無線通信規格に準拠してよい）。
＜ＷＬＡＮＩｄｅｎｔｉｆｉｅｒＬｉｓｔＬｅｎｇｔｈ＞：整数型であり、＜ｓｓｉｄ＞、＜ｂｓｓｉｄ＞、＜ｈｅｓｓｉｄ＞の識別子から構成されるタプルであるＷＬＡＮ識別子リストのエントリ数を示す。これらの識別子のうちいずれかが存在しない場合、その識別子は空文字列として示されることになる。
【０１０１】
図５Ｅは、いくつかの実施形態に従って、ＷＬＡＮオフロードセル測定情報を提供するためのコマンド／応答テーブル５４０を示す。テーブル５４０は、ＷＬＡＮオフロードセル測定（＋ＣＷＬＡＮＯＬＣＭ）ＡＴコマンドを示す。セットコマンドは、設定された閾値に基づいてセル測定パラメータがＷＬＡＮオフロードの基準を満たすたびに、以下の非請求リザルトコードをＭＴからＴＥに送信することを有効又は無効にする。
＋ＣＷＬＡＮＯＬＣＭＩ：＜ｒｓｃｐ＞、＜ｅｃｎｏ＞、＜ｒｓｒｐ＞、＜ｒｓｒｑ＞
【０１０２】
設定がＭＴによってサポートされない場合、ＥＲＲＯＲ又は＋ＣＭＥ  ＥＲＲＯＲが返される。
【０１０３】
読み出しコマンドが、リザルトコード表現の現在のステータス、及びＭＴでの現在の１次サービングセルからの測定値を返す。
【０１０４】
テストコマンドが、ＭＴによりサポートされる値を合成値として返す。
【０１０５】
規定値：
＜ｎ＞：整数型
０：ＷＬＡＮオフロードセル測定の非請求リザルトコードを無効にする。
１：ＷＬＡＮオフロードセル測定の非請求リザルトコードを有効にする。＋ＣＷＬＡＮＯＬＣＭＩ
＜ｒｓｃｐ＞：整数型であり、受信信号コード電力を示す。
＜ｅｃｎｏ＞：整数型であり、総受信パワースペクトル密度に対するＰＮチップ当たりの受信エネルギーの比率を示す。
＜ｒｓｒｐ＞：整数型であり、参照信号受信電力を示す。
＜ｒｓｒｑ＞：整数型であり、参照信号受信品質を示す。
（上記値は例えば、３ＧＰＰのＴＳ２７．００７「ユーザ機器（ＵＥ）用のＡＴコマンドセット（ＡＴ  Ｃｏｍｍａｎｄ  ｓｅｔ  ｆｏｒ  Ｕｓｅｒ  Ｅｑｕｉｐｍｅｎｔ  （ＵＥ））」の下位条項８．６９に説明されるような＋ＣＥＳＱコマンドに準拠してよい）。
【０１０６】
図６は、いくつかの実施形態に従って、ＵＥ６００及びｅＮｏｄｅＢ６５０のブロック図を示す。いくつかの実施形態において、ｅＮｏｄｅＢ６５０は据え置き型（非モバイル）デバイスであってよいことに留意されたい。ＵＥ６００は、ｅＮｏｄｅＢ６５０、他のｅＮｏｄｅＢ、他のＵＥ、又は他のデバイスとの間で、１つ又は複数のアンテナ６０１を用いて、信号を送信及び受信するための物理レイヤ回路（ＰＨＹ）６０２を含んでよく、ｅＮｏｄｅＢ６５０は、ＵＥ６００、他のｅＮｏｄｅＢ、他のＵＥ、又は他のデバイスとの間で、１つ又は複数のアンテナ６５１を用いて、信号を送信及び受信するための物理レイヤ回路（ＰＨＹ）６５２を含んでよい。ＵＥ６００は、無線媒体へのアクセスを制御するための媒体アクセス制御レイヤ（ＭＡＣ）回路６０４も含んでよく、ｅＮｏｄｅＢ６５０は、無線媒体へのアクセスを制御するためのＭＡＣ回路６５４も含んでよい。ＵＥ６００は、本明細書で説明される動作を行うように構成された処理回路６０６及びメモリ６０８も含んでよく、ｅＮｏｄｅＢ６５０は、本明細書で説明される動作を行うように構成された処理回路６５６及びメモリ６５８も含んでよい。
【０１０７】
アンテナ６０１、６５１は、例えば、ダイポールアンテナ、モノポールアンテナ、パッチアンテナ、ループアンテナ、マイクロストリップアンテナ、又はＲＦ信号の送信に好適な他のタイプのアンテナを含む１つ又は複数の指向性アンテナ若しくは全方向性アンテナを含んでよい。いくつかの複数入力複数出力（ＭＩＭＯ）の実施形態において、アンテナ６０１、６５１は、結果として生じ得る空間的多様性及び異なるチャネル特性の恩恵を受けるように効果的に分離されてよい。
【０１０８】
ＵＥ６００及びｅＮｏｄｅＢ６５０はそれぞれ、いくつかの別個の機能要素を有するように示されているが、これらの機能要素のうち１つ又は複数は組み合わされてよく、またデジタル信号プロセッサ（ＤＳＰ）及び／又は他のハードウェア要素を含む処理要素など、ソフトウェアにより構成された要素の組み合わせにより実装されてよい。例えば、要素によっては、１つ又は複数のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）、及び少なくとも本明細書で説明される機能を行うための様々なハードウェア及び回路の組み合わせを含んでよい。いくつかの実施形態において、機能要素は、１つ又は複数の処理要素上で動作する１つ又は複数のプロセスを指すことができる。
【０１０９】
実施形態は、ハードウェア、ファームウェア、及びソフトウェアのうち１つ、又はこれらの組み合わせで実装することができる。実施形態は、コンピュータ可読記憶デバイスに格納される命令としても実装することができ、これらの命令は、本明細書で説明される動作を行うために、少なくとも１つのプロセッサにより読み出され実行されてよい。コンピュータ可読記憶デバイスは、マシン（例えば、コンピュータ）により可読の形態で情報を格納するための、任意の非一時的メカニズムを含んでよい。例えば、コンピュータ可読記憶デバイスは、リードオンリメモリ（ＲＯＭ）、ランダムアクセスメモリ（ＲＡＭ）、磁気ディスク記憶媒体、光記憶媒体、フラッシュメモリデバイス、及び他のストレージデバイス及び媒体を含んでよい。実施形態によっては、１つ又は複数のプロセッサを含んでよく、コンピュータ可読記憶デバイスに格納される命令で構成することができる。
【０１１０】
実施形態によると、ＵＥ６００はＤ２Ｄ通信モードに従って動作することができる。ＵＥ６００は、ｅＮｏｄｅＢ６５０からの１つ又は複数の信号の受信に基づいて、同期基準時間を決定するように構成された処理回路６０６を含んでよい。ハードウェア処理回路６０６はさらに、Ｄ２Ｄ通信セッション中に、第１グループのデータ送信間隔（ＤＴＩ）の間にマルチ時間送信間隔バンドルグループ（ＭＴＢＧ）のデータシンボルを送信し、第１グループのＤＴＩを除いた第２グループのＤＴＩの間にデータシンボルの送信を控えるように構成されてよい。ＤＴＩの開始時間は、同期基準時間に少なくとも部分的に基づいてよい。ハードウェア処理回路６０６はさらに、Ｄ２Ｄ通信セッションを除いたネットワーク内通信セッション中に、同期基準時間に同期する時間送信間隔（ＴＴＩ）基準時間に従ってデータシンボルを送信するように構成されてよい。
【０１１１】
シナリオによっては、セルラー通信ネットワーク内で動作するＵＥ６００は、様々な理由で性能低下に遭遇し始めることがある。一例として、ネットワーク４１２のユーザ荷重及びスループット要求が高くなることがある。別の例として、ＵＥ６００がカバレッジセル端に向かって、又はそれを越えて移動することがある。ネットワーク４１２において動作する間に、ＵＥ６００は、ＵＥ６００にごく近接して物理的に位置する他のＵＥと現実に通信状態にあってよいが、通信はネットワーク４１２を通じて行われ得る。
【０１１２】
図７は、本開示の態様に従ってマシン可読媒体から命令を読み出し、本明細書で論じられる手順のうちいずれか１つ又は複数を行うことができる、いくつかの例示的な実施形態によるマシンのコンポーネントを示すブロック図を示す。具体的には、図７は、例示的なコンピュータシステム７００（上述されたネットワーク要素のうちいずれかを含んでよい）を示し、その中で、本明細書で論じられる手順のうちいずれか１つ又は複数をマシンに実行させるためのソフトウェア７２４が実行されてよい。代替の実施形態において、マシンはスタンドアローン型デバイスとして動作する、又は他のマシンに接続（例えば、ネットワーク接続）されてよい。ネットワーク接続された展開において、マシンは、サーバ／クライアント型ネットワーク環境におけるサーバ若しくはクライアントマシンのキャパシティ内で、又はピアツーピア型（若しくは分散型）ネットワーク環境におけるピアマシンとして動作することができる。コンピュータシステム７００は、上述したＵＥ又はｅＮｏｄｅＢのうちいずれかとして機能することができ、パーソナルコンピュータ（ＰＣ）、ウェアラブルモバイルコンピューティングデバイス、タブレットＰＣ、セットトップボックス（ＳＴＢ）、ＰＤＡ、携帯電話、ウェブアプライアンス、ネットワークルータ、スイッチ若しくはブリッジ、又は任意のマシンにより行われるアクションを指定する命令を（順次又は別のやり方で）実行することができる当該マシンであってよい。さらに、単一のマシンだけが示されているが、「マシン」という用語は、本明細書で論じられる手順のうちいずれか１つ又は複数を行うために、命令のセット（又は複数のセット）を個々に又は一緒に実行するマシンの任意の集合を含むように受け取られてもよい。
【０１１３】
コンピュータシステム７００の例には、プロセッサ７０２（例えば、中央処理装置（ＣＰＵ）、グラフィックス処理装置（ＧＰＵ）、又はこれら両方）、メインメモリ７０４、及びスタティックメモリ７０６が含まれ、これらはバス７０８を介して互いに通信する。コンピュータシステム７００はさらに、ビデオディスプレイ装置７１０（例えば、ＬＣＤ又はブラウン管（ＣＲＴ））を含んでよい。コンピュータシステム７００には、英数字入力デバイス７１２（例えば、キーボード）、ユーザインタフェースナビゲーション（又はカーソル制御）デバイス７１４（例えば、マウス）、ストレージデバイス７１６、信号発生デバイス７１８（例えば、スピーカ）、及びネットワークインタフェースデバイス７２０も含まれる。
【０１１４】
ストレージデバイス７１６には、データ構造の１つ又は複数のセットが格納された非一時的マシン可読媒体７２２と、本明細書で説明される手順又は機能のうちいずれか１つ又は複数を具現化する又はこれらにより利用されるソフトウェア７２４とが含まれる。ソフトウェア７２４は、コンピュータシステム７００によるその実行中に、メインメモリ７０４の中に及び／又はプロセッサ７０２の中に、完全に又は少なくとも部分的に存在することもでき、メインメモリ７０４及びプロセッサ７０２も非一時的マシン可読媒体７２２を構成する。ソフトウェア７２４は、スタティックメモリ７０６の中に、完全に又は少なくとも部分的に存在することもできる。
【０１１５】
非一時的マシン可読媒体７２２が、例示的な実施形態において、単一の媒体であるように示されているが、「マシン可読媒体」という用語は、１つ又は複数のデータ構造及びソフトウェア７２４を格納する単一の媒体又は複数の媒体（例えば、集中型若しくは分散型のデータベース、及び／又は関連キャッシュ及びサーバ）を含んでよい。「マシン可読媒体」という用語は、マシンによる実行のために命令を格納、符号化、若しくは搬送することができ、本実施形態の手順のうちいずれか１つ若しくは複数をマシンに実行させる任意の有形媒体、又は、そのような命令により利用される、若しくはそのような命令に関連付けられるデータ構造を格納、符号化、若しくは搬送することができる任意の有形媒体を含むように受け取られてもよい。したがって、「マシン可読媒体」という用語は、限定されないが、ソリッドステートメモリ並びに光媒体及び磁気媒体を含むように受け取られてよい。マシン可読媒体７２２の具体例には、例として、半導体メモリデバイス（例えば、消去可能プログラマブルリードオンリメモリ（ＥＰＲＯＭ）、電気的消去可能プログラマブルリードオンリメモリ（ＥＥＰＲＯＭ）、及びフラッシュメモリデバイス）、内臓ハードディスク及びリムーバブルディスクなどの磁気ディスク、光磁気ディスク、並びに、コンパクトディスクリードオンリメモリ（ＣＤ−ＲＯＭ）及びデジタル多用途ディスク（又はデジタルビデオディスク）リードオンリメモリ（ＤＶＤーＲＯＭ）ディスクを含む不揮発性メモリが含まれる。
【０１１６】
ソフトウェア７２４はさらに、送信媒体を用いる通信ネットワーク７２６を介し、送信又は受信されてよい。ソフトウェア７２４は、ネットワークインタフェースデバイス７２０、及び複数のよく知られた転送プロトコルのうちいずれか１つ（例えば、ハイパーテキスト転送プロトコル（ＨＴＴＰ））を用いて送信されてよい。通信ネットワーク７２６の例には、ローカルエリアネットワーク（ＬＡＮ）、ワイドエリアネットワーク（ＷＡＮ）、インターネット１１２、携帯電話ネットワーク、及び旧来の電話サービス（ＰＯＴＳ）ネットワーク、及び無線データネットワーク（例えば、ＷｉＦｉ及びＷｉＭＡＸ（登録商標）ネットワーク）が含まれる。「送信媒体」という用語は、マシンによる実行のために命令を格納、符号化、又は搬送できる任意の無形の媒体を含むように受け取られてよく、そのようなソフトウェア７２４の通信を容易にするためのデジタル若しくはアナログ通信信号、又は他の無形の媒体を含む。
【０１１７】
図面及び上述の説明は、本開示の例を示すものである。実施形態が複数の異なる機能項目として示されているが、当業者は、そのような要素のうち１つ又は複数が単一の機能要素に組み合わされることが十分にあり得ることを理解するであろう。あるいは、特定の要素が複数の機能要素に分割されてよい。１つの実施形態の要素が、別の実施形態に追加されてよい。例えば、本明細書で説明されるプロセスの順番は変更されてよく、本明細書で説明される方法に限定されない。さらに、あらゆるフロー図の動作は、示される順番に実装される必要はなく、これらの動作の全てが必ずしも実行される必要があるわけでもない。また、他の動作に依存しないこれらの動作は、他の動作と並行して行われてよい。しかし、本開示の範囲は、これらの具体例により決して限定されない。本明細書に明示的に与えられていてもいなくても、構造、寸法、及び材料の使用における差異など、多数の変形が可能である。本開示の範囲は、少なくとも以下の特許請求の範囲により与えられる範囲と同じくらい広範である。
【０１１８】
それは、特許請求の範囲の意味若しくは範囲を限定又は解釈するのに用いられることはないという理解のもとで、提出されている。以下の特許請求の範囲は、本明細書により詳細な説明に組み込まれ、各請求項は、別個の実施形態として独立している。
【０１１９】
いくつかの実施形態において、ユーザ機器（ＵＥ）が、セルラーネットワークからのメッセージを送信及び受信するモバイルターミネーション（ＭＴ）と、セルラーネットワーク又は非セルラーネットワークの１つ又は複数のパケットデータネットワーク（ＰＤＮ）接続を利用する１つ又は複数のアプリケーションを実行する端末機器（ＴＥ）と、端末アダプタ（ＴＡ）とを含む。ＴＡは、ＴＥから受信したアテンション（ＡＴ）コマンドをＭＴに転送し、ＭＴは転送されたＡＴコマンドをＭＴ制御コマンドとして受信し、ＡＴコマンドは、セルラーネットワークから非セルラーネットワークにオフロードされ得る特定のＰＤＮ接続のデータ、オフロード支援データ、及びオフロードセルラー測定データのうち少なくとも１つの要求を含む。ＴＡは、ＭＴにより生成されるＭＴステータスメッセージをＡＴコマンド応答としてＴＥに転送し、ＡＴコマンド応答は要求されたデータを含む。ＴＡは、特定のＰＤＮ接続のオフロード可能性の変更、オフロード支援データの変更、及びオフロードセルラー測定値のうち少なくとも１つがオフロード支援データの基準を満たす場合、ＭＴにより生成される非請求リザルトコードをＴＥに転送する。
【０１２０】
いくつかの実施形態において、ＡＴコマンドはパケットドメインイベント報告（＋ＣＧＥＲＥＰ）ＡＴコマンドを含み、ＭＴはさらに、特定のＰＤＮ接続に関連付けられたパケットデータプロトコル（ＰＤＰ）コンテキストが、アクティブ化される、非アクティブ化される、及び変更される、のうち少なくとも１つである場合、特定のＰＤＮ接続がセルラーネットワークから非セルラーネットワークにオフロードされ得るかを示す１つ又は複数の非請求リザルトコード（＋ＣＧＥＶ）をＴＥに送信する。いくつかの実施形態において、１つ又は複数の非請求リザルトコード（＋ＣＧＥＶ）は、特定のＰＤＮ接続がセルラーネットワークから非セルラーネットワークにオフロードできないことを示すデータを含む。
【０１２１】
いくつかの実施形態において、ＡＴコマンドは、パケットデータプロトコル（ＰＤＰ）コンテキスト読み出し動的パラメータ（＋ＣＧＣＯＮＴＲＤＰ）ＡＴコマンドを含み、ＡＴコマンド応答は、１次ＰＤＰコンテキストの１つ又は複数のパラメータを識別するデータを含む。いくつかの実施形態において、ＡＴコマンド応答はさらに、１次ＰＤＰコンテキストに関連付けられた特定のＰＤＮ接続がセルラーネットワークから非セルラーネットワークにオフロードされ得るかを示す整数値を含み、その整数値は、特定のＰＤＮ接続がＳ１モードの場合もＩｕモードの場合も、オフロードが受け入れられないことを示す０、特定のＰＤＮ接続がＳ１モードの場合にオフロードが受け入れられるが、Ｉｕモードでは受け入れられないことを示す１、特定のＰＤＮ接続がＩｕモードの場合にオフロードが受け入れられるが、Ｓ１モードでは受け入れられないことを示す２、及び、特定のＰＤＮ接続がＳ１モードの場合もＩｕモードの場合も、オフロードが受け入れられることを示す３、のうち少なくとも１つを含む。
【０１２２】
いくつかの実施形態において、ＡＴコマンドは、２次パケットデータプロトコル（ＰＤＰ）コンテキスト読み出し動的パラメータ（＋ＣＧＳＣＯＮＴＲＤＰ）ＡＴコマンドを含み、ＡＴコマンド応答は、２次ＰＤＰコンテキストの１つ又は複数のパラメータを識別するデータを含む。いくつかの実施形態において、ＡＴコマンド応答はさらに、２次ＰＤＰコンテキストに関連付けられた特定のＰＤＮ接続がセルラーネットワークから非セルラーネットワークにオフロードされ得るかを示す整数値を含み、その整数値は、特定のＰＤＮ接続がＳ１モードの場合もＩｕモードの場合も、オフロードが受け入れられないことを示す０、特定のＰＤＮ接続がＳ１モードの場合にオフロードが受け入れられるが、Ｉｕモードでは受け入れられないことを示す１、特定のＰＤＮ接続がＩｕモードの場合にオフロードが受け入れられるが、Ｓ１モードでは受け入れられないことを示す２、及び、特定のＰＤＮ接続がＳ１モードの場合もＩｕモードの場合も、オフロードが受け入れられることを示す３、のうち少なくとも１つを含む。
【０１２３】
いくつかの実施形態において、ＡＴコマンドは、無線ローカルエリアネットワーク（ＷＬＡＮ）オフロード支援データ（＋ＣＷＬＡＮＯＬＡＤ）ＡＴコマンドを含み、ＡＴコマンド応答は、受信信号コード電力の閾値、総受信パワースペクトル密度に対する疑似ランダムノイズ（ＰＮ）チップ当たりの受信エネルギーの比率の閾値、参照信号受信電力の閾値、参照信号受信品質の閾値、ＷＬＡＮチャネル利用率の閾値、オフロードプレファレンスインジケータ（ｏｐｉ）、ステアリング間隔（ｔＳｔｅｅｒｉｎｇ）、バックホールの利用可能なダウンリンク帯域幅及び／又はアップリンク帯域幅の閾値、ビーコンの受信信号強度インジケータ（ＲＳＳＩ）の閾値、及びＷＬＡＮ識別子リストのうち少なくとも１つを識別するＷＬＡＮオフロード支援データを含む。いくつかの実施形態において、ＭＴはさらに、ＷＬＡＮオフロード支援データの１つ又は複数の変更を示すために、１つ又は複数の非請求リザルトコード（＋ＣＷＬＡＮＯＬＡＤＩ）をＴＥに送信する。
【０１２４】
いくつかの実施形態において、ＡＴコマンドは、無線ローカルエリアネットワーク（ＷＬＡＮ）オフロードセル測定（＋ＣＷＬＡＮＯＬＣＭ）ＡＴコマンドを含み、ＡＴコマンド応答は、ＭＴに関連付けられた１次サービングセルの測定情報を含む。いくつかの実施形態において、ＭＴはさらに、ＷＬＡＮオフロード支援データ閾値を満たしている１つ又は複数のセルラー信号測定値を含む１つ又は複数の非請求リザルトコード（＋ＣＷＬＡＮＯＬＣＭＩ）をＴＥに送信し、セルラー信号測定値は、受信信号コード電力、総受信パワースペクトル密度に対する疑似ランダムノイズ（ＰＮ）チップ当たりの受信エネルギーの比率、参照信号受信電力、及び参照信号受信品質のうち少なくとも１つを含む。
【０１２５】
いくつかの実施形態において、ＵＥはさらに、セルラーネットワーク及び非セルラーネットワークのうち少なくとも１つからの信号データを送信及び受信する１つ又は複数のアンテナを含み、ＭＴは、１つ又は複数のアンテナを介して受信した信号データを処理する１つ又は複数のベースバンドプロセッサを含む。
【０１２６】
いくつかの実施形態において、セルラーネットワークは、ユニバーサル移動体通信サービス地上波無線アクセスネットワーク／ＧＳＭ（登録商標）（移動通信用グローバルシステム）ＥＤＧＥ無線アクセスネットワーク（ＵＴＲＡＮ／ＧＥＲＡＮ）ベースのサービングネットワーク、及び進化型ユニバーサル移動体通信サービス地上波無線アクセスネットワーク（Ｅ−ＵＴＲＡＮ）ベースのサービングネットワークのうち少なくとも１つを含む。
【０１２７】
いくつかの実施形態において、ＡＴコマンドはさらに、非請求リザルトコードの送信を有効及び無効にするセットコマンドを含む。
【０１２８】
いくつかの実施形態において、ＴＡはさらに、ＡＴコマンドの１つ又は複数のパラメータの可能な値を照会するために、ＴＥから受信したＡＴコマンドのテスト版をＭＴに転送する。
【０１２９】
いくつかの実施形態が非一時的コンピュータ可読記憶媒体を説明し、この非一時的コンピュータ可読記憶媒体は、ユーザ機器（ＵＥ）により実行された場合、セルラーネットワーク又は非セルラーネットワークの１つ又は複数のパケットデータネットワーク（ＰＤＮ）接続を利用する１つ又は複数のアプリケーションを実行する動作と、モバイル端末（ＭＴ）用のアテンション（ＡＴ）コマンドを生成する動作であって、ＡＴコマンドは、セルラーネットワークから非セルラーネットワークにオフロードされ得る特定のＰＤＮ接続のデータ、オフロード支援データ、及びオフロードセルラー測定データのうち少なくとも１つの要求を含む、動作と、ＡＴコマンドに対応した、セルラーネットワークから非セルラーネットワークにオフロードされ得るＰＤＮ接続に固有の要求されたデータ、オフロード支援データ、及び／又はオフロードセルラー測定データを含む、ＡＴコマンド応答を受信する動作と、特定のＰＤＮ接続のオフロード可能性の変更、オフロード支援データの変更、及びオフロードセルラー測定値のうち少なくとも１つがオフロード支援データの基準を満たす場合、非請求リザルトコードを受信する動作とをＵＥに実行させるコンテンツを含む。
【０１３０】
いくつかの実施形態において、ＡＴコマンドは、パケットドメインイベント報告（＋ＣＧＥＲＥＰ）ＡＴコマンドを含み、ＭＴはさらに、ＰＤＮ接続が、アクティブ化される、非アクティブ化される、及び変更される、のうち少なくとも１つである場合、ＰＤＮ接続がセルラーネットワークから非セルラーネットワークにオフロードされ得るかを示す１つ又は複数の非請求リザルトコード（＋ＣＧＥＶ）をＴＥに送信する。
【０１３１】
いくつかの実施形態において、ＡＴコマンドは、パケットデータプロトコル（ＰＤＰ）コンテキスト読み出し動的パラメータ（＋ＣＧＣＯＮＴＲＤＰ）ＡＴコマンドを含み、ＡＴコマンド応答はさらに、特定のＰＤＮ接続の１次パケットデータプロトコル（ＰＤＰ）コンテキストの１つ又は複数のパラメータを識別するデータを含み、ＡＴコマンド応答はさらに、１次ＰＤＰコンテキストに関連付けられた特定のＰＤＮ接続がセルラーネットワークから非セルラーネットワークにオフロードされ得るかを示す整数値を含み、その整数値は、特定のＰＤＮ接続がＳ１モードの場合もＩｕモードの場合も、オフロードが受け入れられないことを示す０、特定のＰＤＮ接続がＳ１モードの場合にオフロードが受け入れられるが、Ｉｕモードでは受け入れられないことを示す１、特定のＰＤＮ接続がＩｕモードの場合にオフロードが受け入れられるが、Ｓ１モードでは受け入れられないことを示す２、及び、特定のＰＤＮ接続がＳ１モードの場合もＩｕモードの場合も、オフロードが受け入れられることを示す３、のうち少なくとも１つを含む。
【０１３２】
いくつかの実施形態において、ＡＴコマンドは、２次パケットデータプロトコル（ＰＤＰ）コンテキスト読み出し動的パラメータ（＋ＣＧＳＣＯＮＴＲＤＰ）ＡＴコマンドを含み、ＡＴコマンド応答は、特定のＰＤＮ接続の２次ＰＤＰコンテキストの１つ又は複数のパラメータを識別するデータを含み、ＡＴコマンド応答はさらに、２次ＰＤＰコンテキストに関連付けられた特定のＰＤＮ接続がセルラーネットワークから非セルラーネットワークにオフロードされ得るかを示す整数値を含み、その整数値は、特定のＰＤＮ接続がＳ１モードの場合もＩｕモードの場合も、オフロードが受け入れられないことを示す０、特定のＰＤＮ接続がＳ１モードの場合にオフロードが受け入れられるが、Ｉｕモードでは受け入れられないことを示す１、特定のＰＤＮ接続がＩｕモードの場合にオフロードが受け入れられるが、Ｓ１モードでは受け入れられないことを示す２、及び、特定のＰＤＮ接続がＳ１モードの場合もＩｕモードの場合も、オフロードが受け入れられることを示す３、のうち少なくとも１つを含む。
【０１３３】
いくつかの実施形態において、非セルラーネットワークは、無線ローカルエリアネットワーク（ＷＬＡＮ）を含み、ＡＴコマンドは、ＷＬＡＮオフロード支援データ（＋ＣＷＬＡＮＯＬＡＤ）ＡＴコマンドを含む。ＡＴコマンド応答は、受信信号コード電力の閾値、総受信パワースペクトル密度に対する疑似ランダムノイズ（ＰＮ）チップ当たりの受信エネルギーの比率の閾値、参照信号受信電力の閾値、参照信号受信品質の閾値、ＷＬＡＮチャネル利用率の閾値、オフロードプレファレンスインジケータ（ｏｐｉ）、ステアリング間隔（ｔＳｔｅｅｒｉｎｇ）、バックホールの利用可能なダウンリンク帯域幅及び／又はアップリンク帯域幅の閾値、ビーコンの受信信号強度インジケータ（ＲＳＳＩ）の閾値、及びＷＬＡＮ識別子リストのうち少なくとも１つを識別するＷＬＡＮオフロード支援データを含む。ＭＴはさらに、ＷＬＡＮオフロード支援データの１つ又は複数の変更を示す１つ又は複数の非請求リザルトコード（＋ＣＷＬＡＮＯＬＡＤＩ）をＴＥに送信する。
【０１３４】
いくつかの実施形態において、非セルラーネットワークは無線ローカルエリアネットワーク（ＷＬＡＮ）を含み、ＡＴコマンドはＷＬＡＮオフロードセル測定（＋ＣＷＬＡＮＯＬＣＭ）ＡＴコマンドを含み、ＡＴコマンド応答はＭＴに関連付けられた１次サービングセルの測定情報を含む。ＭＴはさらに、少なくとも１つ又は複数のＷＬＡＮオフロードセル測定値がＷＬＡＮオフロード支援データの閾値を満たしていることを示す１つ又は複数の非請求リザルトコード（＋ＣＷＬＡＮＯＬＣＭＩ）をＴＥに送信し、１つ又は複数のＷＬＡＮオフロードセル測定値は、受信信号コード電力、総受信パワースペクトル密度に対する疑似ランダムノイズ（ＰＮ）チップ当たりの受信エネルギーの比率、参照信号受信電力、及び参照信号受信品質のうち少なくとも１つを含む。
【０１３５】
いくつかの実施形態がベースバンドチップセットを説明し、このベースバンドチップセットは、端末機器（ＴＥ）に通信可能に結合された端末アダプタ（ＴＡ）からアテンション（ＡＴ）コマンドを受信する回路であって、ＡＴコマンドは、パケットデータネットワーク（ＰＤＮ）接続のオフロード特性、オフロード支援データ、及びオフロードセルラー測定値のうち少なくとも１つの要求を含む、回路と、モバイルターミネーション（ＭＴ）ステータスメッセージを生成し、ＭＴステータスメッセージをＴＡに送信する回路であって、ＭＴステータスメッセージは、ＰＤＮ接続の要求されたデータ、オフロード支援データ、及び／又はオフロードセルラー測定値を含む、回路と、ＰＤＮ接続のオフロード可能性の変更、オフロード支援データの変更、及びオフロードセルラー測定値のうち少なくとも１つが、オフロード支援データの基準に対して変わる場合、ＭＴ非請求リザルトコードを生成し、非請求リザルトコードをＴＡに送信する回路とを含む。
【０１３６】
いくつかの実施形態において、ＭＴステータスメッセージはさらに、パケットデータプロトコル（ＰＤＰ）コンテキストが、アクティブ化される、非アクティブ化される、及び変更される、のうち少なくとも１つである場合、ＰＤＮ接続がセルラーネットワークから非セルラーネットワークにオフロードされ得るかを示す１つ又は複数の非請求リザルトコード（＋ＣＧＥＶ）を含む。
【０１３７】
いくつかの実施形態において、ＭＴステータスメッセージはさらに、１次パケットデータプロトコル（ＰＤＰ）コンテキスト情報の１つ又は複数のパラメータを識別するデータ、及び、２次パケットデータプロトコル（ＰＤＰ）コンテキスト情報の１つ又は複数のパラメータを識別するデータのうち少なくとも１つを含む。
【０１３８】
いくつかの実施形態において、非セルラーネットワークは無線ローカルエリアネットワーク（ＷＬＡＮ）を含み、ＭＴステータスメッセージは、ＷＬＡＮのセルラー信号強度、セルラー信号電力、帯域幅、又はサービス特性、及びＭＴに関連付けられた１次サービングセルの測定情報のうち少なくとも１つを識別するデータを含む。
【図１】
0006601641.tif 000002
【図２】
0006601641.tif 000003
【図３】
0006601641.tif 000004
【図４Ａ】
0006601641.tif 000005
【図４Ｂ】
0006601641.tif 000006
【図５Ａ】
0006601641.tif 000007
【図５Ｂ】
0006601641.tif 000008
【図５Ｃ】
0006601641.tif 000009
【図５Ｄ】
0006601641.tif 000010
【図５Ｅ】
0006601641.tif 000011
【図６】
0006601641.tif 000012
【図７】
0006601641.tif 000013